(57)【要約】【課題】ユーザの仮想体験を向上させることが可能なプログラムを提供する。【解決手段】ユーザに仮想体験を提供するための仮想空間１６１１を設定するステップと、仮想空間１６１１に複数の移動エリア１６７２，１６７３を設定するステップと、仮想空間１６１１に仮想視点１４を設定するステップと、ユーザの身体の一部の動きに応じて、複数の移動エリア１６７２，１６７３のうちの所定移動エリアを指示するステップと、仮想視点１４と所定移動エリアとの距離が第１閾値１６７１以下となる場合、仮想視点１４を所定移動エリアに移動させるステップと、仮想視点１４と所定移動エリアとの距離が第１閾値１６７１を超える場合、仮想視点１４を所定移動エリアに移動させないステップと、をコンピュータに実行させるプログラムを提供する。【選択図】図１６
2019155115.tif 000002
【特許請求の範囲】
【請求項１】
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
をコンピュータに実行させるためのプログラム。
【請求項２】
前記仮想視点からの視界を制御するステップと、
前記複数の移動エリアのうち、前記視界に含まれ、かつ前記仮想視点からの距離が前記第１閾値以下となる１以上の移動可能エリアについては、第１表示態様で描画するステップと、
前記複数の移動エリアのうち、前記視界に含まれ、かつ前記仮想視点からの距離が前記第１閾値を超える１以上の移動不可エリアについては、前記第１表示態様とは異なる第２表示態様で描画するステップと、
前記視界に対応する視界画像を生成するステップと、
をさらに前記コンピュータに実行させ、
前記視界画像は、前記第１表示態様で描画された前記１以上の移動可能エリアと、前記第２表示態様で描画された前記１以上の移動不可エリアと、を含む、請求項１に記載のプログラム。
【請求項３】
前記第２表示態様で表示される前記１以上の移動不可エリアは、前記第１表示態様で表示される前記１以上の移動可能エリアよりも、ディテールが粗い、請求項２に記載のプログラム。
【請求項４】
前記仮想空間に第１オブジェクトを設定するステップと、
前記第１オブジェクトと前記仮想視点との距離が前記第１閾値以下であることに応じて、前記第１オブジェクトの表示態様を前記第１表示態様に設定するステップと、
前記第１オブジェクトと前記仮想視点との距離が前記第１閾値を超えることに応じて、前記第１オブジェクトの表示態様を第３表示態様に設定するステップと、
をさらに前記コンピュータに実行させ、
前記第３表示態様で表示される前記第１オブジェクトは、前記第１表示態様で表示される前記第１オブジェクトよりも画像のディテールが粗く、
前記第１表示態様に対する前記第２表示態様の前記ディテールの低下度合いが、前記第１表示態様に対する前記第３表示態様の前記ディテールの低下度合いよりも、大きい、請求項３に記載のプログラム。
【請求項５】
前記ユーザの頭部には、前記コンピュータを備える画像表示装置が関連付けられており、
前記頭部の動きに応じて、前記仮想視点からの視界を制御するステップと、
前記視界に対応する視界画像を生成するステップと、
前記視界画像を前記画像表示装置に表示させるステップと、
をさらに前記コンピュータに実行させ、
前記視界画像は、前記１以上の移動可能エリアを前記第１表示態様で表示し、前記１以上の移動不可エリアを前記第２表示態様で表示する、請求項２から４のいずれか一項に記載のプログラム。
【請求項６】
前記身体の一部の動きに応じて前記所定移動エリアを指示するためのポインティング位置を設定するステップをさらに前記コンピュータに実行させ、
前記仮想視点と前記ポインティング位置との距離に応じて、前記ポインティング位置と前記所定移動エリアとのコリジョンを判定するためのコリジョン判定条件を変化させる、請求項１から５のいずれか一項に記載のプログラム。
【請求項７】
前記コリジョン判定条件は、前記仮想視点と前記ポインティング位置との距離が第２閾値を超えた場合に、前記距離が前記第２閾値以下の場合よりも、緩和される、請求項６に記載のプログラム。
【請求項８】
前記コリジョン判定条件は、前記仮想視点と前記ポインティング位置との距離が長くなるほど、緩和される、請求項６または７に記載のプログラム。
【請求項９】
前記ポインティング位置に関連付けて前記コリジョンを判定するためのコリジョン判定エリアを設定するステップをさらに前記コンピュータに実行させ、
前記コリジョン判定条件の緩和は、前記仮想視点と前記ポインティング位置との距離に応じて、前記コリジョン判定エリアの大きさを変化させることを含む、請求項６から８のいずれか一項に記載のプログラム。
【請求項１０】
前記仮想空間に、前記ユーザの身体の一部の動きに応じて操作可能な操作オブジェクトを設定するステップと、
前記コリジョン判定エリアを前記操作オブジェクトに関連付けて設定するステップと、
をさらに前記コンピュータに実行させ、
前記コリジョン判定条件の緩和は、前記仮想視点と、前記操作オブジェクトで指示された前記複数の移動エリア内の所定箇所との距離に応じて、前記コリジョン判定エリアの大きさを変化させることを含む、請求項９に記載のプログラム。
【請求項１１】
前記１以上の移動可能エリア内に、前記身体の一部の動きに応じて前記所定移動エリアを指示するための第２オブジェクトを設定するステップと、
前記コリジョン判定エリアを前記第２オブジェクトに関連付けて設定するステップと、
をさらに前記コンピュータに実行させ、
前記コリジョン判定条件の緩和は、前記仮想視点と前記第２オブジェクトとの距離に応じて、前記コリジョン判定エリアの大きさを変化させることを含む、請求項９に記載のプログラム。
【請求項１２】
前記ユーザによる課金が実行されたことに基づいて、前記コリジョン判定条件が緩和される、請求項６から１１のいずれか一項に記載のプログラム。
【請求項１３】
プロセッサを備えた情報処理装置であって、
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
が前記プロセッサの制御により実行される、情報処理装置。
【請求項１４】
コンピュータによって実行される情報処理方法であって、
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
を含む、情報処理方法。
【発明の詳細な説明】
【技術分野】
【０００１】
本開示は、プログラム、情報処理装置、及び情報処理方法に関する。
【背景技術】
【０００２】
非特許文献１には、仮想空間内で操作可能な操作オブジェクト（例えば、銃）を用いて、ユーザが所望のエリアをポインティングすることにより、当該エリアへテレポート移動できることが開示されている。
【先行技術文献】
【非特許文献】
【０００３】
【非特許文献１】“Bullet Train VR Demo by Epic Games on Oculus | Unreal Engine、[online]、[平成３０年１月１０日検索]、インターネット＜https://vr.google.com/daydream/experiences/＞
【発明の概要】
【発明が解決しようとする課題】
【０００４】
非特許文献１に開示のような操作オブジェクトを用いたテレポート移動に関して、ユーザの仮想体験の向上には改善の余地がある。
【０００５】
本開示は、ユーザの仮想体験を向上させることが可能なプログラム、情報処理装置、及び情報処理方法を提供することを目的とする。
【課題を解決するための手段】
【０００６】
本開示が示す一態様によれば、
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
をコンピュータに実行させるためのプログラムを提供する。
【発明の効果】
【０００７】
本開示によれば、ユーザの仮想体験を向上させることができる。
【図面の簡単な説明】
【０００８】
【図１】ある実施の形態に従うＨＭＤシステムの構成の概略を表す図である。
【図２】ある実施の形態に従うコンピュータのハードウェア構成の一例を表すブロック図である。
【図３】ある実施の形態に従うＨＭＤに設定されるｕｖｗ視野座標系を概念的に表す図である。
【図４】ある実施の形態に従う仮想空間を表現する一態様を概念的に表す図である。
【図５】ある実施の形態に従うＨＭＤを装着するユーザの頭部を上から表した図である。
【図６】仮想空間において視界領域をＸ方向から見たＹＺ断面を表す図である。
【図７】仮想空間において視界領域をＹ方向から見たＸＺ断面を表す図である。
【図８（Ａ）】ある実施の形態に従うコントローラの概略構成を表す図である。
【図８（Ｂ）】ある実施の形態に従うユーザの右手に対して規定されるヨー、ロール、ピッチの各方向の一例を示す図である。
【図９】ある実施の形態に従うサーバのハードウェア構成の一例を表すブロック図である。
【図１０】ある実施の形態に従うコンピュータをモジュール構成として表わすブロック図である。
【図１１】ある実施の形態に従うＨＭＤセットにおいて実行される処理の一部を表すシーケンスチャートである。
【図１２（Ａ）】ネットワークにおいて、各ＨＭＤがユーザに仮想空間を提供する状況を表す模式図である。
【図１２（Ｂ）】図１２（Ａ）におけるユーザ５Ａの視界画像を示す図である。
【図１３】ある実施の形態に従うＨＭＤシステムにおいて実行する処理を示すシーケンス図である。
【図１４】ある実施の形態に従うコンピュータのモジュールの詳細構成を表わすブロック図である。
【図１５】ユーザが仮想空間内の所定の移動エリアへテレポート移動するための処理の流れを示すシーケンス図である。
【図１６】ユーザに提供される仮想空間の一例を示す図である。
【図１７】（ａ）は、移動可能エリア内に配置されるテレポートオブジェクトの構成を示す図であり、（ｂ）は、移動不可エリア内に配置されるテレポートオブジェクトの構成を示す図である。
【図１８】ＨＭＤのモニタに表示される視野画像の一例を示す図である。
【図１９】ユーザに提供される仮想空間の一例を示す図である。
【図２０】ＨＭＤのモニタに表示される視野画像の一例を示す図である。
【図２１】ユーザに提供される仮想空間の一例を示す図である。
【図２２】ＨＭＤのモニタに表示される視野画像の一例を示す図である。
【図２３】ユーザに提供される仮想空間の一例を示す図である。
【図２４】ＨＭＤのモニタに表示される視野画像の一例を示す図である。
【図２５】他のＨＭＤシステムの構成を表す。
【図２６】他のコントローラの構成を表す。
【発明を実施するための形態】
【０００９】
以下、この技術的思想の実施の形態について図面を参照しながら詳細に説明する。以下の説明では、同一の部品には同一の符号を付してある。それらの名称および機能も同じである。したがって、それらについての詳細な説明は繰り返さない。本開示において示される１以上の実施形態において、各実施形態が含む要素を互いに組み合わせることができ、かつ、当該組み合わせられた結果物も本開示が示す実施形態の一部をなすものとする。
【００１０】
［ＨＭＤシステムの構成］
図１を参照して、ＨＭＤ（Head-Mounted  Device）システム１００の構成について説明する。図１は、本実施の形態に従うＨＭＤシステム１００の構成の概略を表す図である。ＨＭＤシステム１００は、家庭用のシステムとしてあるいは業務用のシステムとして提供される。
【００１１】
ＨＭＤシステム１００は、サーバ６００と、ＨＭＤセット１１０Ａ，１１０Ｂ，１１０Ｃ，１１０Ｄと、外部機器７００と、ネットワーク２とを含む。ＨＭＤセット１１０Ａ，１１０Ｂ，１１０Ｃ，１１０Ｄの各々は、ネットワーク２を介してサーバ６００や外部機器７００と通信可能に構成される。以下、ＨＭＤセット１１０Ａ，１１０Ｂ，１１０Ｃ，１１０Ｄを総称して、ＨＭＤセット１１０とも言う。ＨＭＤシステム１００を構成するＨＭＤセット１１０の数は、４つに限られず、３つ以下でも、５つ以上でもよい。ＨＭＤセット１１０は、ＨＭＤ１２０と、コンピュータ２００と、ＨＭＤセンサ４１０と、ディスプレイ４３０と、コントローラ３００とを備える。ＨＭＤ１２０は、モニタ１３０と、注視センサ１４０と、第１カメラ１５０と、第２カメラ１６０と、マイク１７０と、スピーカ１８０とを含む。コントローラ３００は、モーションセンサ４２０を含み得る。
【００１２】
ある局面において、コンピュータ２００は、インターネットその他のネットワーク２に接続可能であり、ネットワーク２に接続されているサーバ６００その他のコンピュータと通信可能である。その他のコンピュータとしては、例えば、他のＨＭＤセット１１０のコンピュータや外部機器７００が挙げられる。別の局面において、ＨＭＤ１２０は、ＨＭＤセンサ４１０の代わりに、センサ１９０を含み得る。
【００１３】
ＨＭＤ１２０は、ユーザ５の頭部に装着され、動作中に仮想空間をユーザ５に提供し得る。より具体的には、ＨＭＤ１２０は、右目用の画像および左目用の画像をモニタ１３０にそれぞれ表示する。ユーザ５の各目がそれぞれの画像を視認すると、ユーザ５は、両目の視差に基づき当該画像を３次元画像として認識し得る。ＨＭＤ１２０は、モニタを備える所謂ヘッドマウントディスプレイと、スマートフォンその他のモニタを有する端末を装着可能なヘッドマウント機器のいずれをも含み得る。
【００１４】
モニタ１３０は、例えば、非透過型の表示装置として実現される。ある局面において、モニタ１３０は、ユーザ５の両目の前方に位置するようにＨＭＤ１２０の本体に配置されている。したがって、ユーザ５は、モニタ１３０に表示される３次元画像を視認すると、仮想空間に没入することができる。ある局面において、仮想空間は、例えば、背景、ユーザ５が操作可能なオブジェクト、ユーザ５が選択可能なメニューの画像を含む。ある局面において、モニタ１３０は、所謂スマートフォンその他の情報表示端末が備える液晶モニタまたは有機ＥＬ（Electro  Luminescence）モニタとして実現され得る。
【００１５】
別の局面において、モニタ１３０は、透過型の表示装置として実現され得る。この場合、ＨＭＤ１２０は、図１に示されるようにユーザ５の目を覆う密閉型ではなく、メガネ型のような開放型であり得る。透過型のモニタ１３０は、その透過率を調整することにより、一時的に非透過型の表示装置として構成可能であってもよい。モニタ１３０は、仮想空間を構成する画像の一部と、現実空間とを同時に表示する構成を含んでいてもよい。例えば、モニタ１３０は、ＨＭＤ１２０に搭載されたカメラで撮影した現実空間の画像を表示してもよいし、一部の透過率を高く設定することにより現実空間を視認可能にしてもよい。
【００１６】
ある局面において、モニタ１３０は、右目用の画像を表示するためのサブモニタと、左目用の画像を表示するためのサブモニタとを含み得る。別の局面において、モニタ１３０は、右目用の画像と左目用の画像とを一体として表示する構成であってもよい。この場合、モニタ１３０は、高速シャッタを含む。高速シャッタは、画像がいずれか一方の目にのみ認識されるように、右目用の画像と左目用の画像とを交互に表示可能に作動する。
【００１７】
ある局面において、ＨＭＤ１２０は、図示せぬ複数の光源を含む。各光源は例えば、赤外線を発するＬＥＤ（Light  Emitting  Diode）により実現される。ＨＭＤセンサ４１０は、ＨＭＤ１２０の動きを検出するためのポジショントラッキング機能を有する。より具体的には、ＨＭＤセンサ４１０は、ＨＭＤ１２０が発する複数の赤外線を読み取り、現実空間内におけるＨＭＤ１２０の位置および傾きを検出する。
【００１８】
別の局面において、ＨＭＤセンサ４１０は、カメラにより実現されてもよい。この場合、ＨＭＤセンサ４１０は、カメラから出力されるＨＭＤ１２０の画像情報を用いて、画像解析処理を実行することにより、ＨＭＤ１２０の位置および傾きを検出することができる。
【００１９】
別の局面において、ＨＭＤ１２０は、位置検出器として、ＨＭＤセンサ４１０の代わりに、あるいはＨＭＤセンサ４１０に加えてセンサ１９０を備えてもよい。ＨＭＤ１２０は、センサ１９０を用いて、ＨＭＤ１２０自身の位置および傾きを検出し得る。例えば、センサ１９０が角速度センサ、地磁気センサ、あるいは加速度センサである場合、ＨＭＤ１２０は、ＨＭＤセンサ４１０の代わりに、これらの各センサのいずれかを用いて、自身の位置および傾きを検出し得る。一例として、センサ１９０が角速度センサである場合、角速度センサは、現実空間におけるＨＭＤ１２０の３軸周りの角速度を経時的に検出する。ＨＭＤ１２０は、各角速度に基づいて、ＨＭＤ１２０の３軸周りの角度の時間的変化を算出し、さらに、角度の時間的変化に基づいて、ＨＭＤ１２０の傾きを算出する。
【００２０】
注視センサ１４０は、ユーザ５の右目および左目の視線が向けられる方向を検出する。つまり、注視センサ１４０は、ユーザ５の視線を検出する。視線の方向の検出は、例えば、公知のアイトラッキング機能によって実現される。注視センサ１４０は、当該アイトラッキング機能を有するセンサにより実現される。ある局面において、注視センサ１４０は、右目用のセンサおよび左目用のセンサを含むことが好ましい。注視センサ１４０は、例えば、ユーザ５の右目および左目に赤外光を照射するとともに、照射光に対する角膜および虹彩からの反射光を受けることにより各眼球の回転角を検出するセンサであってもよい。注視センサ１４０は、検出した各回転角に基づいて、ユーザ５の視線を検知することができる。
【００２１】
第１カメラ１５０は、ユーザ５の顔の下部を撮影する。より具体的には、第１カメラ１５０は、ユーザ５の鼻および口などを撮影する。第２カメラ１６０は、ユーザ５の目および眉などを撮影する。ＨＭＤ１２０のユーザ５側の筐体をＨＭＤ１２０の内側、ＨＭＤ１２０のユーザ５とは逆側の筐体をＨＭＤ１２０の外側と定義する。ある局面において、第１カメラ１５０は、ＨＭＤ１２０の外側に配置され、第２カメラ１６０は、ＨＭＤ１２０の内側に配置され得る。第１カメラ１５０および第２カメラ１６０が生成した画像は、コンピュータ２００に入力される。別の局面において、第１カメラ１５０と第２カメラ１６０とを１台のカメラとして実現し、この１台のカメラでユーザ５の顔を撮影するようにしてもよい。
【００２２】
マイク１７０は、ユーザ５の発話を音声信号（電気信号）に変換してコンピュータ２００に出力する。スピーカ１８０は、音声信号を音声に変換してユーザ５に出力する。別の局面において、ＨＭＤ１２０は、スピーカ１８０に替えてイヤホンを含み得る。
【００２３】
コントローラ３００は、有線または無線によりコンピュータ２００に接続されている。コントローラ３００は、ユーザ５からコンピュータ２００への命令の入力を受け付ける。ある局面において、コントローラ３００は、ユーザ５によって把持可能に構成される。別の局面において、コントローラ３００は、ユーザ５の身体あるいは衣類の一部に装着可能に構成される。さらに別の局面において、コントローラ３００は、コンピュータ２００から送信される信号に基づいて、振動、音、光のうちの少なくともいずれかを出力するように構成されてもよい。さらに別の局面において、コントローラ３００は、ユーザ５から、仮想空間に配置されるオブジェクトの位置や動きを制御するための操作を受け付ける。
【００２４】
ある局面において、コントローラ３００は、複数の光源を含む。各光源は例えば、赤外線を発するＬＥＤにより実現される。ＨＭＤセンサ４１０は、ポジショントラッキング機能を有する。この場合、ＨＭＤセンサ４１０は、コントローラ３００が発する複数の赤外線を読み取り、現実空間内におけるコントローラ３００の位置および傾きを検出する。別の局面において、ＨＭＤセンサ４１０は、カメラにより実現されてもよい。この場合、ＨＭＤセンサ４１０は、カメラから出力されるコントローラ３００の画像情報を用いて、画像解析処理を実行することにより、コントローラ３００の位置および傾きを検出することができる。
【００２５】
モーションセンサ４２０は、ある局面において、ユーザ５の手に取り付けられて、ユーザ５の手の動きを検出する。例えば、モーションセンサ４２０は、手の回転速度、回転数等を検出する。検出された信号は、コンピュータ２００に送られる。モーションセンサ４２０は、例えば、コントローラ３００に設けられている。ある局面において、モーションセンサ４２０は、例えば、ユーザ５に把持可能に構成されたコントローラ３００に設けられている。別の局面において、現実空間における安全のため、コントローラ３００は、手袋型のようにユーザ５の手に装着されることにより容易に飛んで行かないものに装着される。さらに別の局面において、ユーザ５に装着されないセンサがユーザ５の手の動きを検出してもよい。例えば、ユーザ５を撮影するカメラの信号が、ユーザ５の動作を表わす信号として、コンピュータ２００に入力されてもよい。モーションセンサ４２０とコンピュータ２００とは、一例として、無線により互いに接続される。無線の場合、通信形態は特に限られず、例えば、Ｂｌｕｅｔｏｏｔｈ（登録商標）その他の公知の通信手法が用いられる。
【００２６】
ディスプレイ４３０は、モニタ１３０に表示されている画像と同様の画像を表示する。これにより、ＨＭＤ１２０を装着しているユーザ５以外のユーザにも当該ユーザ５と同様の画像を視聴させることができる。ディスプレイ４３０に表示される画像は、３次元画像である必要はなく、右目用の画像や左目用の画像であってもよい。ディスプレイ４３０としては、例えば、液晶ディスプレイや有機ＥＬモニタなどが挙げられる。
【００２７】
サーバ６００は、コンピュータ２００にプログラムを送信し得る。別の局面において、サーバ６００は、他のユーザによって使用されるＨＭＤ１２０に仮想現実を提供するための他のコンピュータ２００と通信し得る。例えば、アミューズメント施設において、複数のユーザが参加型のゲームを行なう場合、各コンピュータ２００は、各ユーザの動作に基づく信号をサーバ６００を介して他のコンピュータ２００と通信して、同じ仮想空間において複数のユーザが共通のゲームを楽しむことを可能にする。各コンピュータ２００は、各ユーザの動作に基づく信号をサーバ６００を介さずに他のコンピュータ２００と通信するようにしてもよい。
【００２８】
外部機器７００は、コンピュータ２００と通信可能な機器であればどのような機器であってもよい。外部機器７００は、例えば、ネットワーク２を介してコンピュータ２００と通信可能な機器であってもよいし、近距離無線通信や有線接続によりコンピュータ２００と直接通信可能な機器であってもよい。外部機器７００としては、例えば、スマートデバイス、ＰＣ（Personal  Computer）、及びコンピュータ２００の周辺機器などが挙げられるが、これらに限定されるものではない。
【００２９】
［コンピュータのハードウェア構成］
図２を参照して、本実施の形態に係るコンピュータ２００について説明する。図２は、本実施の形態に従うコンピュータ２００のハードウェア構成の一例を表すブロック図である。コンピュータ２００は、主たる構成要素として、プロセッサ２１０と、メモリ２２０と、ストレージ２３０と、入出力インターフェイス２４０と、通信インターフェイス２５０とを備える。各構成要素は、それぞれ、バス２６０に接続されている。
【００３０】
プロセッサ２１０は、コンピュータ２００に与えられる信号に基づいて、あるいは、予め定められた条件が成立したことに基づいて、メモリ２２０またはストレージ２３０に格納されているプログラムに含まれる一連の命令を実行する。ある局面において、プロセッサ２１０は、ＣＰＵ（Central  Processing  Unit）、ＧＰＵ（Graphics  Processing  Unit）、ＭＰＵ（Micro  Processor  Unit）、ＦＰＧＡ（Field-Programmable  Gate  Array）その他のデバイスとして実現される。
【００３１】
メモリ２２０は、プログラムおよびデータを一時的に保存する。プログラムは、例えば、ストレージ２３０からロードされる。データは、コンピュータ２００に入力されたデータと、プロセッサ２１０によって生成されたデータとを含む。ある局面において、メモリ２２０は、ＲＡＭ（Random  Access  Memory）その他の揮発メモリとして実現される。
【００３２】
ストレージ２３０は、プログラムおよびデータを永続的に保持する。ストレージ２３０は、例えば、ＲＯＭ（Read-Only  Memory）、ハードディスク装置、フラッシュメモリ、その他の不揮発記憶装置として実現される。ストレージ２３０に格納されるプログラムは、ＨＭＤシステム１００において仮想空間を提供するためのプログラム、シミュレーションプログラム、ゲームプログラム、ユーザ認証プログラム、他のコンピュータ２００との通信を実現するためのプログラムを含む。ストレージ２３０に格納されるデータは、仮想空間を規定するためのデータおよびオブジェクト等を含む。
【００３３】
別の局面において、ストレージ２３０は、メモリカードのように着脱可能な記憶装置として実現されてもよい。さらに別の局面において、コンピュータ２００に内蔵されたストレージ２３０の代わりに、外部の記憶装置に保存されているプログラムおよびデータを使用する構成が使用されてもよい。このような構成によれば、例えば、アミューズメント施設のように複数のＨＭＤシステム１００が使用される場面において、プログラムやデータの更新を一括して行なうことが可能になる。
【００３４】
入出力インターフェイス２４０は、ＨＭＤ１２０、ＨＭＤセンサ４１０、モーションセンサ４２０およびディスプレイ４３０との間で信号を通信する。ＨＭＤ１２０に含まれるモニタ１３０，注視センサ１４０，第１カメラ１５０，第２カメラ１６０，マイク１７０およびスピーカ１８０は、ＨＭＤ１２０の入出力インターフェイス２４０を介してコンピュータ２００との通信を行ない得る。ある局面において、入出力インターフェイス２４０は、ＵＳＢ（Universal  Serial  Bus）、ＤＶＩ（Digital  Visual  Interface）、ＨＤＭＩ（登録商標）（High-Definition  Multimedia  Interface）その他の端子を用いて実現される。入出力インターフェイス２４０は上述のものに限られない。
【００３５】
ある局面において、入出力インターフェイス２４０は、さらに、コントローラ３００と通信し得る。例えば、入出力インターフェイス２４０は、コントローラ３００およびモーションセンサ４２０から出力された信号の入力を受ける。別の局面において、入出力インターフェイス２４０は、プロセッサ２１０から出力された命令を、コントローラ３００に送る。当該命令は、振動、音声出力、発光等をコントローラ３００に指示する。コントローラ３００は、当該命令を受信すると、その命令に応じて、振動、音声出力または発光のいずれかを実行する。
【００３６】
通信インターフェイス２５０は、ネットワーク２に接続されて、ネットワーク２に接続されている他のコンピュータ（例えば、サーバ６００）と通信する。ある局面において、通信インターフェイス２５０は、例えば、ＬＡＮ（Local  Area  Network）その他の有線通信インターフェイス、あるいは、ＷｉＦｉ（Wireless  Fidelity）、Ｂｌｕｅｔｏｏｔｈ（登録商標）、ＮＦＣ（Near  Field  Communication）その他の無線通信インターフェイスとして実現される。通信インターフェイス２５０は上述のものに限られない。
【００３７】
ある局面において、プロセッサ２１０は、ストレージ２３０にアクセスし、ストレージ２３０に格納されている１つ以上のプログラムをメモリ２２０にロードし、当該プログラムに含まれる一連の命令を実行する。当該１つ以上のプログラムは、コンピュータ２００のオペレーティングシステム、仮想空間を提供するためのアプリケーションプログラム、仮想空間で実行可能なゲームソフトウェア等を含み得る。プロセッサ２１０は、入出力インターフェイス２４０を介して、仮想空間を提供するための信号をＨＭＤ１２０に送る。ＨＭＤ１２０は、その信号に基づいてモニタ１３０に映像を表示する。
【００３８】
図２に示される例では、コンピュータ２００は、ＨＭＤ１２０の外部に設けられる構成が示されているが、別の局面において、コンピュータ２００は、ＨＭＤ１２０に内蔵されてもよい。一例として、モニタ１３０を含む携帯型の情報通信端末（例えば、スマートフォン）がコンピュータ２００として機能してもよい。
【００３９】
コンピュータ２００は、複数のＨＭＤ１２０に共通して用いられる構成であってもよい。このような構成によれば、例えば、複数のユーザに同一の仮想空間を提供することもできるので、各ユーザは同一の仮想空間で他のユーザと同一のアプリケーションを楽しむことができる。
【００４０】
ある実施の形態において、ＨＭＤシステム１００では、現実空間における座標系である実座標系が予め設定されている。実座標系は、現実空間における鉛直方向、鉛直方向に直交する水平方向、並びに、鉛直方向および水平方向の双方に直交する前後方向にそれぞれ平行な、３つの基準方向（軸）を有する。実座標系における水平方向、鉛直方向（上下方向）、および前後方向は、それぞれ、ｘ軸、ｙ軸、ｚ軸と規定される。より具体的には、実座標系において、ｘ軸は現実空間の水平方向に平行である。ｙ軸は、現実空間の鉛直方向に平行である。ｚ軸は現実空間の前後方向に平行である。
【００４１】
ある局面において、ＨＭＤセンサ４１０は、赤外線センサを含む。赤外線センサが、ＨＭＤ１２０の各光源から発せられた赤外線をそれぞれ検出すると、ＨＭＤ１２０の存在を検出する。ＨＭＤセンサ４１０は、さらに、各点の値（実座標系における各座標値）に基づいて、ＨＭＤ１２０を装着したユーザ５の動きに応じた、現実空間内におけるＨＭＤ１２０の位置および傾き（向き）を検出する。より詳しくは、ＨＭＤセンサ４１０は、経時的に検出された各値を用いて、ＨＭＤ１２０の位置および傾きの時間的変化を検出できる。
【００４２】
ＨＭＤセンサ４１０によって検出されたＨＭＤ１２０の各傾きは、実座標系におけるＨＭＤ１２０の３軸周りの各傾きに相当する。ＨＭＤセンサ４１０は、実座標系におけるＨＭＤ１２０の傾きに基づき、ｕｖｗ視野座標系をＨＭＤ１２０に設定する。ＨＭＤ１２０に設定されるｕｖｗ視野座標系は、ＨＭＤ１２０を装着したユーザ５が仮想空間において物体を見る際の視点座標系に対応する。
【００４３】
［ｕｖｗ視野座標系］
図３を参照して、ｕｖｗ視野座標系について説明する。図３は、ある実施の形態に従うＨＭＤ１２０に設定されるｕｖｗ視野座標系を概念的に表す図である。ＨＭＤセンサ４１０は、ＨＭＤ１２０の起動時に、実座標系におけるＨＭＤ１２０の位置および傾きを検出する。プロセッサ２１０は、検出された値に基づいて、ｕｖｗ視野座標系をＨＭＤ１２０に設定する。
【００４４】
図３に示されるように、ＨＭＤ１２０は、ＨＭＤ１２０を装着したユーザ５の頭部を中心（原点）とした３次元のｕｖｗ視野座標系を設定する。より具体的には、ＨＭＤ１２０は、実座標系を規定する水平方向、鉛直方向、および前後方向（ｘ軸、ｙ軸、ｚ軸）を、実座標系内においてＨＭＤ１２０の各軸周りの傾きだけ各軸周りにそれぞれ傾けることによって新たに得られる３つの方向を、ＨＭＤ１２０におけるｕｖｗ視野座標系のピッチ軸（ｕ軸）、ヨー軸（ｖ軸）、およびロール軸（ｗ軸）として設定する。
【００４５】
ある局面において、ＨＭＤ１２０を装着したユーザ５が直立し、かつ、正面を視認している場合、プロセッサ２１０は、実座標系に平行なｕｖｗ視野座標系をＨＭＤ１２０に設定する。この場合、実座標系における水平方向（ｘ軸）、鉛直方向（ｙ軸）、および前後方向（ｚ軸）は、ＨＭＤ１２０におけるｕｖｗ視野座標系のピッチ軸（ｕ軸）、ヨー軸（ｖ軸）、およびロール軸（ｗ軸）に一致する。
【００４６】
ｕｖｗ視野座標系がＨＭＤ１２０に設定された後、ＨＭＤセンサ４１０は、ＨＭＤ１２０の動きに基づいて、設定されたｕｖｗ視野座標系におけるＨＭＤ１２０の傾きを検出できる。この場合、ＨＭＤセンサ４１０は、ＨＭＤ１２０の傾きとして、ｕｖｗ視野座標系におけるＨＭＤ１２０のピッチ角（θｕ）、ヨー角（θｖ）、およびロール角（θｗ）をそれぞれ検出する。ピッチ角（θｕ）は、ｕｖｗ視野座標系におけるピッチ軸周りのＨＭＤ１２０の傾き角度を表す。ヨー角（θｖ）は、ｕｖｗ視野座標系におけるヨー軸周りのＨＭＤ１２０の傾き角度を表す。ロール角（θｗ）は、ｕｖｗ視野座標系におけるロール軸周りのＨＭＤ１２０の傾き角度を表す。
【００４７】
ＨＭＤセンサ４１０は、検出されたＨＭＤ１２０の傾きに基づいて、ＨＭＤ１２０が動いた後のＨＭＤ１２０におけるｕｖｗ視野座標系を、ＨＭＤ１２０に設定する。ＨＭＤ１２０と、ＨＭＤ１２０のｕｖｗ視野座標系との関係は、ＨＭＤ１２０の位置および傾きに関わらず、常に一定である。ＨＭＤ１２０の位置および傾きが変わると、当該位置および傾きの変化に連動して、実座標系におけるＨＭＤ１２０のｕｖｗ視野座標系の位置および傾きが変化する。
【００４８】
ある局面において、ＨＭＤセンサ４１０は、赤外線センサからの出力に基づいて取得される赤外線の光強度および複数の点間の相対的な位置関係（例えば、各点間の距離など）に基づいて、ＨＭＤ１２０の現実空間内における位置を、ＨＭＤセンサ４１０に対する相対位置として特定してもよい。プロセッサ２１０は、特定された相対位置に基づいて、現実空間内（実座標系）におけるＨＭＤ１２０のｕｖｗ視野座標系の原点を決定してもよい。
【００４９】
［仮想空間］
図４を参照して、仮想空間についてさらに説明する。図４は、ある実施の形態に従う仮想空間１１を表現する一態様を概念的に表す図である。仮想空間１１は、中心１２の３６０度方向の全体を覆う全天球状の構造を有する。図４では、説明を複雑にしないために、仮想空間１１のうちの上半分の天球が例示されている。仮想空間１１では各メッシュが規定される。各メッシュの位置は、仮想空間１１に規定されるグローバル座標系であるＸＹＺ座標系における座標値として予め規定されている。コンピュータ２００は、仮想空間１１に展開可能なパノラマ画像１３（静止画、動画等）を構成する各部分画像を、仮想空間１１において対応する各メッシュにそれぞれ対応付ける。
【００５０】
ある局面において、仮想空間１１では、中心１２を原点とするＸＹＺ座標系が規定される。ＸＹＺ座標系は、例えば、実座標系に平行である。ＸＹＺ座標系における水平方向、鉛直方向（上下方向）、および前後方向は、それぞれＸ軸、Ｙ軸、Ｚ軸として規定される。したがって、ＸＹＺ座標系のＸ軸（水平方向）が実座標系のｘ軸と平行であり、ＸＹＺ座標系のＹ軸（鉛直方向）が実座標系のｙ軸と平行であり、ＸＹＺ座標系のＺ軸（前後方向）が実座標系のｚ軸と平行である。
【００５１】
ＨＭＤ１２０の起動時、すなわちＨＭＤ１２０の初期状態において、仮想カメラ１４が、仮想空間１１の中心１２に配置される。ある局面において、プロセッサ２１０は、仮想カメラ１４が撮影する画像をＨＭＤ１２０のモニタ１３０に表示する。仮想カメラ１４は、現実空間におけるＨＭＤ１２０の動きに連動して、仮想空間１１を同様に移動する。これにより、現実空間におけるＨＭＤ１２０の位置および傾きの変化が、仮想空間１１において同様に再現され得る。
【００５２】
仮想カメラ１４には、ＨＭＤ１２０の場合と同様に、ｕｖｗ視野座標系が規定される。仮想空間１１における仮想カメラ１４のｕｖｗ視野座標系は、現実空間（実座標系）におけるＨＭＤ１２０のｕｖｗ視野座標系に連動するように規定されている。したがって、ＨＭＤ１２０の傾きが変化すると、それに応じて、仮想カメラ１４の傾きも変化する。仮想カメラ１４は、ＨＭＤ１２０を装着したユーザ５の現実空間における移動に連動して、仮想空間１１において移動することもできる。
【００５３】
コンピュータ２００のプロセッサ２１０は、仮想カメラ１４の位置と傾き（基準視線１６）とに基づいて、仮想空間１１における視界領域１５を規定する。視界領域１５は、仮想空間１１のうち、ＨＭＤ１２０を装着したユーザ５が視認する領域に対応する。つまり、仮想カメラ１４の位置は、仮想空間１１におけるユーザ５の視点と言える。
【００５４】
注視センサ１４０によって検出されるユーザ５の視線は、ユーザ５が物体を視認する際の視点座標系における方向である。ＨＭＤ１２０のｕｖｗ視野座標系は、ユーザ５がモニタ１３０を視認する際の視点座標系に等しい。仮想カメラ１４のｕｖｗ視野座標系は、ＨＭＤ１２０のｕｖｗ視野座標系に連動している。したがって、ある局面に従うＨＭＤシステム１００は、注視センサ１４０によって検出されたユーザ５の視線を、仮想カメラ１４のｕｖｗ視野座標系におけるユーザ５の視線とみなすことができる。
【００５５】
［ユーザの視線］
図５を参照して、ユーザ５の視線の決定について説明する。図５は、ある実施の形態に従うＨＭＤ１２０を装着するユーザ５の頭部を上から表した図である。
【００５６】
ある局面において、注視センサ１４０は、ユーザ５の右目および左目の各視線を検出する。ある局面において、ユーザ５が近くを見ている場合、注視センサ１４０は、視線Ｒ１およびＬ１を検出する。別の局面において、ユーザ５が遠くを見ている場合、注視センサ１４０は、視線Ｒ２およびＬ２を検出する。この場合、ロール軸ｗに対して視線Ｒ２およびＬ２が成す角度は、ロール軸ｗに対して視線Ｒ１およびＬ１が成す角度よりも小さい。注視センサ１４０は、検出結果をコンピュータ２００に送信する。
【００５７】
コンピュータ２００が、視線の検出結果として、視線Ｒ１およびＬ１の検出値を注視センサ１４０から受信した場合には、その検出値に基づいて、視線Ｒ１およびＬ１の交点である注視点Ｎ１を特定する。一方、コンピュータ２００は、視線Ｒ２およびＬ２の検出値を注視センサ１４０から受信した場合には、視線Ｒ２およびＬ２の交点を注視点として特定する。コンピュータ２００は、特定した注視点Ｎ１の位置に基づき、ユーザ５の視線Ｎ０を特定する。コンピュータ２００は、例えば、ユーザ５の右目Ｒと左目Ｌとを結ぶ直線の中点と、注視点Ｎ１とを通る直線の延びる方向を、視線Ｎ０として検出する。視線Ｎ０は、ユーザ５が両目により実際に視線を向けている方向である。視線Ｎ０は、視界領域１５に対してユーザ５が実際に視線を向けている方向に相当する。
【００５８】
別の局面において、ＨＭＤシステム１００は、テレビジョン放送受信チューナを備えてもよい。このような構成によれば、ＨＭＤシステム１００は、仮想空間１１においてテレビ番組を表示することができる。
【００５９】
さらに別の局面において、ＨＭＤシステム１００は、インターネットに接続するための通信回路、あるいは、電話回線に接続するための通話機能を備えていてもよい。
【００６０】
［視界領域］
図６および図７を参照して、視界領域１５について説明する。図６は、仮想空間１１において視界領域１５をＸ方向から見たＹＺ断面を表す図である。図７は、仮想空間１１において視界領域１５をＹ方向から見たＸＺ断面を表す図である。
【００６１】
図６に示されるように、ＹＺ断面における視界領域１５は、領域１８を含む。領域１８は、仮想カメラ１４の位置と基準視線１６と仮想空間１１のＹＺ断面とによって定義される。プロセッサ２１０は、仮想空間における基準視線１６を中心として極角αを含む範囲を、領域１８として規定する。
【００６２】
図７に示されるように、ＸＺ断面における視界領域１５は、領域１９を含む。領域１９は、仮想カメラ１４の位置と基準視線１６と仮想空間１１のＸＺ断面とによって定義される。プロセッサ２１０は、仮想空間１１における基準視線１６を中心とした方位角βを含む範囲を、領域１９として規定する。極角αおよびβは、仮想カメラ１４の位置と仮想カメラ１４の傾き（向き）とに応じて定まる。
【００６３】
ある局面において、ＨＭＤシステム１００は、コンピュータ２００からの信号に基づいて、視界画像１７をモニタ１３０に表示させることにより、ユーザ５に仮想空間１１における視界を提供する。視界画像１７は、パノラマ画像１３のうち視界領域１５に対応する部分に相当する画像である。ユーザ５が、頭に装着したＨＭＤ１２０を動かすと、その動きに連動して仮想カメラ１４も動く。その結果、仮想空間１１における視界領域１５の位置が変化する。これにより、モニタ１３０に表示される視界画像１７は、パノラマ画像１３のうち、仮想空間１１においてユーザ５が向いた方向の視界領域１５に重畳する画像に
更新される。ユーザ５は、仮想空間１１における所望の方向を視認することができる。
【００６４】
このように、仮想カメラ１４の傾きは仮想空間１１におけるユーザ５の視線（基準視線１６）に相当し、仮想カメラ１４が配置される位置は、仮想空間１１におけるユーザ５の視点に相当する。したがって、仮想カメラ１４の位置または傾きを変更することにより、モニタ１３０に表示される画像が更新され、ユーザ５の視界が移動される。
【００６５】
ユーザ５は、ＨＭＤ１２０を装着している間、現実世界を視認することなく、仮想空間１１に展開されるパノラマ画像１３のみを視認できる。そのため、ＨＭＤシステム１００は、仮想空間１１への高い没入感覚をユーザ５に与えることができる。
【００６６】
ある局面において、プロセッサ２１０は、ＨＭＤ１２０を装着したユーザ５の現実空間における移動に連動して、仮想空間１１において仮想カメラ１４を移動し得る。この場合、プロセッサ２１０は、仮想空間１１における仮想カメラ１４の位置および傾きに基づいて、ＨＭＤ１２０のモニタ１３０に投影される画像領域（視界領域１５）を特定する。
【００６７】
ある局面において、仮想カメラ１４は、２つの仮想カメラ、すなわち、右目用の画像を提供するための仮想カメラと、左目用の画像を提供するための仮想カメラとを含み得る。ユーザ５が３次元の仮想空間１１を認識できるように、適切な視差が、２つの仮想カメラに設定される。別の局面において、仮想カメラ１４を１つの仮想カメラにより実現してもよい。この場合、１つの仮想カメラにより得られた画像から、右目用の画像と左目用の画像とを生成するようにしてもよい。本実施の形態においては、仮想カメラ１４が２つの仮想カメラを含み、２つの仮想カメラのロール軸が合成されることによって生成されるロール軸（ｗ）がＨＭＤ１２０のロール軸（ｗ）に適合されるように構成されているものとして、本開示に係る技術思想を例示する。
【００６８】
［コントローラ］
図８を参照して、コントローラ３００の一例について説明する。図８は、ある実施の形態に従うコントローラ３００の概略構成を表す図である。
【００６９】
図８に示されるように、ある局面において、コントローラ３００は、右コントローラ３００Ｒと図示せぬ左コントローラとを含み得る。右コントローラ３００Ｒは、ユーザ５の右手で操作される。左コントローラは、ユーザ５の左手で操作される。ある局面において、右コントローラ３００Ｒと左コントローラとは、別個の装置として対称に構成される。したがって、ユーザ５は、右コントローラ３００Ｒを把持した右手と、左コントローラを把持した左手とをそれぞれ自由に動かすことができる。別の局面において、コントローラ３００は両手の操作を受け付ける一体型のコントローラであってもよい。以下、右コントローラ３００Ｒについて説明する。
【００７０】
右コントローラ３００Ｒは、グリップ３１０と、フレーム３２０と、天面３３０とを備える。グリップ３１０は、ユーザ５の右手によって把持されるように構成されている。たとえば、グリップ３１０は、ユーザ５の右手の掌と３本の指（中指、薬指、小指）とによって保持され得る。
【００７１】
グリップ３１０は、ボタン３４０，３５０と、モーションセンサ４２０とを含む。ボタン３４０は、グリップ３１０の側面に配置され、右手の中指による操作を受け付ける。ボタン３５０は、グリップ３１０の前面に配置され、右手の人差し指による操作を受け付ける。ある局面において、ボタン３４０，３５０は、トリガー式のボタンとして構成される。モーションセンサ４２０は、グリップ３１０の筐体に内蔵されている。ユーザ５の動作がカメラその他の装置によってユーザ５の周りから検出可能である場合には、グリップ３１０は、モーションセンサ４２０を備えなくてもよい。
【００７２】
フレーム３２０は、その円周方向に沿って配置された複数の赤外線ＬＥＤ３６０を含む。赤外線ＬＥＤ３６０は、コントローラ３００を使用するプログラムの実行中に、当該プログラムの進行に合わせて赤外線を発光する。赤外線ＬＥＤ３６０から発せられた赤外線は、右コントローラ３００Ｒと左コントローラとの各位置や姿勢（傾き、向き）を検出するために使用され得る。図８に示される例では、二列に配置された赤外線ＬＥＤ３６０が示されているが、配列の数は図８に示されるものに限られない。一列あるいは３列以上の配列が使用されてもよい。
【００７３】
天面３３０は、ボタン３７０，３８０と、アナログスティック３９０とを備える。ボタン３７０，３８０は、プッシュ式ボタンとして構成される。ボタン３７０，３８０は、ユーザ５の右手の親指による操作を受け付ける。アナログスティック３９０は、ある局面において、初期位置（ニュートラルの位置）から３６０度任意の方向への操作を受け付ける。当該操作は、たとえば、仮想空間１１に配置されるオブジェクトを移動するための操作を含む。
【００７４】
ある局面において、右コントローラ３００Ｒおよび左コントローラは、赤外線ＬＥＤ３６０その他の部材を駆動するための電池を含む。電池は、充電式、ボタン型、乾電池型などを含むが、これらに限定されない。別の局面において、右コントローラ３００Ｒと左コントローラは、たとえば、コンピュータ２００のＵＳＢインターフェイスに接続され得る。この場合、右コントローラ３００Ｒおよび左コントローラは、電池を必要としない。
【００７５】
図８の状態（Ａ）および状態（Ｂ）に示されるように、例えば、ユーザ５の右手に対して、ヨー、ロール、ピッチの各方向が規定される。ユーザ５が親指と人差し指とを伸ばした場合に、親指の伸びる方向がヨー方向、人差し指の伸びる方向がロール方向、ヨー方向の軸およびロール向の軸によって規定される平面に垂直な方向がピッチ方向として規定される。
【００７６】
［サーバのハードウェア構成］
図９を参照して、本実施の形態に係るサーバ６００について説明する。図９は、ある実施の形態に従うサーバ６００のハードウェア構成の一例を表すブロック図である。サーバ６００は、主たる構成要素として、プロセッサ６１０と、メモリ６２０と、ストレージ６３０と、入出力インターフェイス６４０と、通信インターフェイス６５０とを備える。各構成要素は、それぞれ、バス６６０に接続されている。
【００７７】
プロセッサ６１０は、サーバ６００に与えられる信号に基づいて、あるいは、予め定められた条件が成立したことに基づいて、メモリ６２０またはストレージ６３０に格納されているプログラムに含まれる一連の命令を実行する。ある局面において、プロセッサ６１０は、ＣＰＵ、ＧＰＵ、ＭＰＵ、ＦＰＧＡその他のデバイスとして実現される。
【００７８】
メモリ６２０は、プログラムおよびデータを一時的に保存する。プログラムは、例えば、ストレージ６３０からロードされる。データは、サーバ６００に入力されたデータと、プロセッサ６１０によって生成されたデータとを含む。ある局面において、メモリ６２０は、ＲＡＭその他の揮発メモリとして実現される。
【００７９】
ストレージ６３０は、プログラムおよびデータを永続的に保持する。ストレージ６３０は、例えば、ＲＯＭ、ハードディスク装置、フラッシュメモリ、その他の不揮発記憶装置として実現される。ストレージ６３０に格納されるプログラムは、ＨＭＤシステム１００において仮想空間を提供するためのプログラム、シミュレーションプログラム、ゲームプログラム、ユーザ認証プログラム、コンピュータ２００との通信を実現するためのプログラムを含んでもよい。ストレージ６３０に格納されるデータは、仮想空間を規定するためのデータおよびオブジェクト等を含んでもよい。
【００８０】
別の局面において、ストレージ６３０は、メモリカードのように着脱可能な記憶装置として実現されてもよい。さらに別の局面において、サーバ６００に内蔵されたストレージ６３０の代わりに、外部の記憶装置に保存されているプログラムおよびデータを使用する構成が使用されてもよい。このような構成によれば、例えば、アミューズメント施設のように複数のＨＭＤシステム１００が使用される場面において、プログラムやデータの更新を一括して行なうことが可能になる。
【００８１】
入出力インターフェイス６４０は、入出力機器との間で信号を通信する。ある局面において、入出力インターフェイス６４０は、ＵＳＢ、ＤＶＩ、ＨＤＭＩその他の端子を用いて実現される。入出力インターフェイス６４０は上述のものに限られない。
【００８２】
通信インターフェイス６５０は、ネットワーク２に接続されて、ネットワーク２に接続されているコンピュータ２００と通信する。ある局面において、通信インターフェイス６５０は、例えば、ＬＡＮその他の有線通信インターフェイス、あるいは、ＷｉＦｉ、Ｂｌｕｅｔｏｏｔｈ、ＮＦＣその他の無線通信インターフェイスとして実現される。通信インターフェイス６５０は上述のものに限られない。
【００８３】
ある局面において、プロセッサ６１０は、ストレージ６３０にアクセスし、ストレージ６３０に格納されている１つ以上のプログラムをメモリ６２０にロードし、当該プログラムに含まれる一連の命令を実行する。当該１つ以上のプログラムは、サーバ６００のオペレーティングシステム、仮想空間を提供するためのアプリケーションプログラム、仮想空間で実行可能なゲームソフトウェア等を含み得る。プロセッサ６１０は、入出力インターフェイス６４０を介して、仮想空間を提供するための信号をコンピュータ２００に送ってもよい。
【００８４】
［ＨＭＤの制御装置］
図１０を参照して、ＨＭＤ１２０の制御装置について説明する。ある実施の形態において、制御装置は周知の構成を有するコンピュータ２００によって実現される。図１０は、ある実施の形態に従うコンピュータ２００をモジュール構成として表わすブロック図である。
【００８５】
図１０に示されるように、コンピュータ２００は、コントロールモジュール５１０と、レンダリングモジュール５２０と、メモリモジュール５３０と、通信制御モジュール５４０とを備える。ある局面において、コントロールモジュール５１０とレンダリングモジュール５２０とは、プロセッサ２１０によって実現される。別の局面において、複数のプロセッサ２１０がコントロールモジュール５１０とレンダリングモジュール５２０として作動してもよい。メモリモジュール５３０は、メモリ２２０またはストレージ２３０によって実現される。通信制御モジュール５４０は、通信インターフェイス２５０によって実現される。
【００８６】
コントロールモジュール５１０は、ユーザ５に提供される仮想空間１１を制御する。コントロールモジュール５１０は、仮想空間１１を表す仮想空間データを用いて、ＨＭＤシステム１００における仮想空間１１を規定する。仮想空間データは、例えば、メモリモジュール５３０に記憶されている。コントロールモジュール５１０が、仮想空間データを生成したり、サーバ６００などから仮想空間データを取得するようにしたりしてもよい。
【００８７】
コントロールモジュール５１０は、オブジェクトを表すオブジェクトデータを用いて、仮想空間１１にオブジェクトを配置する。オブジェクトデータは、例えば、メモリモジュール５３０に記憶されている。コントロールモジュール５１０が、オブジェクトデータを生成したり、サーバ６００などからオブジェクトデータを取得するようにしたりしてもよい。オブジェクトは、例えば、ユーザ５の分身であるアバターオブジェクト、キャラクタオブジェクト、コントローラ３００によって操作される仮想手などの操作オブジェクト、ゲームのストーリーの進行に従って配置される森、山その他を含む風景、街並み、動物等を含み得る。
【００８８】
コントロールモジュール５１０は、ネットワーク２を介して接続される他のコンピュータ２００のユーザ５のアバターオブジェクトを仮想空間１１に配置する。ある局面において、コントロールモジュール５１０は、ユーザ５のアバターオブジェクトを仮想空間１１に配置する。ある局面において、コントロールモジュール５１０は、ユーザ５を含む画像に基づいて、ユーザ５を模したアバターオブジェクトを仮想空間１１に配置する。別の局面において、コントロールモジュール５１０は、複数種類のアバターオブジェクト（例えば、動物を模したオブジェクトや、デフォルメされた人のオブジェクト）の中からユーザ５による選択を受け付けたアバターオブジェクトを仮想空間１１に配置する。
【００８９】
コントロールモジュール５１０は、ＨＭＤセンサ４１０の出力に基づいてＨＭＤ１２０の傾きを特定する。別の局面において、コントロールモジュール５１０は、モーションセンサとして機能するセンサ１９０の出力に基づいてＨＭＤ１２０の傾きを特定する。コントロールモジュール５１０は、第１カメラ１５０および第２カメラ１６０が生成するユーザ５の顔の画像から、ユーザ５の顔を構成する器官（例えば、口，目，眉）を検出する。コントロールモジュール５１０は、検出した各器官の動き（形状）を検出する。
【００９０】
コントロールモジュール５１０は、注視センサ１４０からの信号に基づいて、ユーザ５の仮想空間１１における視線を検出する。コントロールモジュール５１０は、検出したユーザ５の視線と仮想空間１１の天球とが交わる視点位置（ＸＹＺ座標系における座標値）を検出する。より具体的には、コントロールモジュール５１０は、ｕｖｗ座標系で規定されるユーザ５の視線と、仮想カメラ１４の位置および傾きとに基づいて、視点位置を検出する。コントロールモジュール５１０は、検出した視点位置をサーバ６００に送信する。別の局面において、コントロールモジュール５１０は、ユーザ５の視線を表す視線情報をサーバ６００に送信するように構成されてもよい。係る場合、サーバ６００が受信した視線情報に基づいて視点位置を算出し得る。
【００９１】
コントロールモジュール５１０は、ＨＭＤセンサ４１０が検出するＨＭＤ１２０の動きをアバターオブジェクトに反映する。例えば、コントロールモジュール５１０は、ＨＭＤ１２０が傾いたことを検知して、アバターオブジェクトを傾けて配置する。コントロールモジュール５１０は、検出した顔器官の動作を、仮想空間１１に配置されるアバターオブジェクトの顔に反映させる。コントロールモジュール５１０は、サーバ６００から他のユーザ５の視線情報を受信し、当該他のユーザ５のアバターオブジェクトの視線に反映させる。ある局面において、コントロールモジュール５１０は、コントローラ３００の動きをアバターオブジェクトや操作オブジェクトに反映する。この場合、コントローラ３００は、コントローラ３００の動きを検知するためのモーションセンサ、加速度センサ、または複数の発光素子（例えば、赤外線ＬＥＤ）などを備える。
【００９２】
コントロールモジュール５１０は、仮想空間１１においてユーザ５の操作を受け付けるための操作オブジェクトを仮想空間１１に配置する。ユーザ５は、操作オブジェクトを操作することにより、例えば、仮想空間１１に配置されるオブジェクトを操作する。ある局面において、操作オブジェクトは、例えば、ユーザ５の手に相当する仮想手である手オブジェクト等を含み得る。ある局面において、コントロールモジュール５１０は、モーションセンサ４２０の出力に基づいて現実空間におけるユーザ５の手の動きに連動するように仮想空間１１において手オブジェクトを動かす。ある局面において、操作オブジェクトは、アバターオブジェクトの手の部分に相当し得る。
【００９３】
コントロールモジュール５１０は、仮想空間１１に配置されるオブジェクトのそれぞれが、他のオブジェクトと衝突した場合に、当該衝突を検出する。コントロールモジュール５１０は、例えば、あるオブジェクトのコリジョンエリアと、別のオブジェクトのコリジョンエリアとが触れたタイミングを検出することができ、当該検出がされたときに、予め定められた処理を行なう。コントロールモジュール５１０は、オブジェクトとオブジェクトとが触れている状態から離れたタイミングを検出することができ、当該検出がされたときに、予め定められた処理を行なう。コントロールモジュール５１０は、オブジェクトとオブジェクトとが触れている状態であることを検出することができる。例えば、コントロールモジュール５１０は、操作オブジェクトと、他のオブジェクトとが触れたときに、これら操作オブジェクトと他のオブジェクトとが触れたことを検出して、予め定められた処理を行なう。
【００９４】
ある局面において、コントロールモジュール５１０は、ＨＭＤ１２０のモニタ１３０における画像表示を制御する。例えば、コントロールモジュール５１０は、仮想空間１１に仮想カメラ１４を配置する。コントロールモジュール５１０は、仮想空間１１における仮想カメラ１４の位置と、仮想カメラ１４の傾き（向き）を制御する。コントロールモジュール５１０は、ＨＭＤ１２０を装着したユーザ５の頭の傾きと、仮想カメラ１４の位置に応じて、視界領域１５を規定する。レンダリングモジュール５２０は、決定された視界領域１５に基づいて、モニタ１３０に表示される視界画像１７を生成する。レンダリングモジュール５２０により生成された視界画像１７は、通信制御モジュール５４０によってＨＭＤ１２０に出力される。
【００９５】
コントロールモジュール５１０は、ＨＭＤ１２０から、ユーザ５のマイク１７０を用いた発話を検出すると、当該発話に対応する音声データの送信対象のコンピュータ２００を特定する。音声データは、コントロールモジュール５１０によって特定されたコンピュータ２００に送信される。コントロールモジュール５１０は、ネットワーク２を介して他のユーザのコンピュータ２００から音声データを受信すると、当該音声データに対応する音声（発話）をスピーカ１８０から出力する。
【００９６】
メモリモジュール５３０は、コンピュータ２００が仮想空間１１をユーザ５に提供するために使用されるデータを保持している。ある局面において、メモリモジュール５３０は、空間情報と、オブジェクト情報と、ユーザ情報とを保持している。
【００９７】
空間情報は、仮想空間１１を提供するために規定された１つ以上のテンプレートを保持している。
【００９８】
オブジェクト情報は、仮想空間１１を構成する複数のパノラマ画像１３、仮想空間１１にオブジェクトを配置するためのオブジェクトデータを含む。パノラマ画像１３は、静止画像および動画像を含み得る。パノラマ画像１３は、非現実空間の画像と現実空間の画像とを含み得る。非現実空間の画像としては、例えば、コンピュータグラフィックスで生成された画像が挙げられる。
【００９９】
ユーザ情報は、ユーザ５を識別するユーザＩＤを保持する。ユーザＩＤは、例えば、ユーザが使用するコンピュータ２００に設定されるＩＰ（Internet  Protocol）アドレスまたはＭＡＣ（Media  Access  Control）アドレスであり得る。別の局面において、ユーザＩＤはユーザによって設定され得る。ユーザ情報は、ＨＭＤシステム１００の制御装置としてコンピュータ２００を機能させるためのプログラム等を含む。
【０１００】
メモリモジュール５３０に格納されているデータおよびプログラムは、ＨＭＤ１２０のユーザ５によって入力される。あるいは、プロセッサ２１０が、当該コンテンツを提供する事業者が運営するコンピュータ（例えば、サーバ６００）からプログラムあるいはデータをダウンロードして、ダウンロードされたプログラムあるいはデータをメモリモジュール５３０に格納する。
【０１０１】
通信制御モジュール５４０は、ネットワーク２を介して、サーバ６００その他の情報通信装置と通信し得る。
【０１０２】
ある局面において、コントロールモジュール５１０及びレンダリングモジュール５２０は、例えば、ユニティテクノロジーズ社によって提供されるＵｎｉｔｙ（登録商標）を用いて実現され得る。別の局面において、コントロールモジュール５１０及びレンダリングモジュール５２０は、各処理を実現する回路素子の組み合わせとしても実現され得る。
【０１０３】
コンピュータ２００における処理は、ハードウェアと、プロセッサ２１０により実行されるソフトウェアとによって実現される。このようなソフトウェアは、ハードディスクその他のメモリモジュール５３０に予め格納されている場合がある。ソフトウェアは、ＣＤ−ＲＯＭその他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置その他のデータ読取装置によってデータ記録媒体から読み取られて、あるいは、通信制御モジュール５４０を介してサーバ６００その他のコンピュータからダウンロードされた後、記憶モジュールに一旦格納される。そのソフトウェアは、プロセッサ２１０によって記憶モジュールから読み出され、実行可能なプログラムの形式でＲＡＭに格納される。プロセッサ２１０は、そのプログラムを実行する。
【０１０４】
［ＨＭＤシステムの制御構造］
図１１を参照して、ＨＭＤセット１１０の制御構造について説明する。図１１は、ある実施の形態に従うＨＭＤセット１１０において実行される処理の一部を表すシーケンスチャートである。
【０１０５】
図１１に示されるように、ステップＳ１１１０にて、コンピュータ２００のプロセッサ２１０は、コントロールモジュール５１０として、仮想空間データを特定し、仮想空間１１を定義する。
【０１０６】
ステップＳ１１２０にて、プロセッサ２１０は、仮想カメラ１４を初期化する。たとえば、プロセッサ２１０は、メモリのワーク領域において、仮想カメラ１４を仮想空間１１において予め規定された中心点１２に配置し、仮想カメラ１４の視線をユーザ５が向いている方向に向ける。
【０１０７】
ステップＳ１１３０にて、プロセッサ２１０は、レンダリングモジュール５２０として、初期の視界画像を表示するための視界画像データを生成する。生成された視界画像データは、通信制御モジュール５４０によってＨＭＤ１２０に出力される。
【０１０８】
ステップＳ１１３２にて、ＨＭＤ１２０のモニタ１３０は、コンピュータ２００から受信した視界画像データに基づいて、視界画像を表示する。ＨＭＤ１２０を装着したユーザ５は、視界画像を視認すると仮想空間１１を認識し得る。
【０１０９】
ステップＳ１１３４にて、ＨＭＤセンサ４１０は、ＨＭＤ１２０から発信される複数の赤外線光に基づいて、ＨＭＤ１２０の位置と傾きを検知する。検知結果は、動き検知データとして、コンピュータ２００に出力される。
【０１１０】
ステップＳ１１４０にて、プロセッサ２１０は、ＨＭＤ１２０の動き検知データに含まれる位置と傾きとに基づいて、ＨＭＤ１２０を装着したユーザ５の視界方向を特定する。
【０１１１】
ステップＳ１１５０にて、プロセッサ２１０は、アプリケーションプログラムを実行し、アプリケーションプログラムに含まれる命令に基づいて、仮想空間１１にオブジェクトを配置する。
【０１１２】
ステップＳ１１６０にて、コントローラ３００は、モーションセンサ４２０から出力される信号に基づいて、ユーザ５の操作を検出し、その検出された操作を表す検出データをコンピュータ２００に出力する。別の局面において、ユーザ５によるコントローラ３００の操作は、ユーザ５の周囲に配置されたカメラからの画像に基づいて検出されてもよい。
【０１１３】
ステップＳ１１７０にて、プロセッサ２１０は、コントローラ３００から取得した検出データに基づいて、ユーザ５によるコントローラ３００の操作を検出する。
【０１１４】
ステップＳ１１８０にて、プロセッサ２１０は、ユーザ５によるコントローラ３００の操作に基づく視界画像データを生成する。生成された視界画像データは、通信制御モジュール５４０によってＨＭＤ１２０に出力される。
【０１１５】
ステップＳ１１９０にて、ＨＭＤ１２０は、受信した視界画像データに基づいて視界画像を更新し、更新後の視界画像をモニタ１３０に表示する。
【０１１６】
［アバターオブジェクト］
図１２（Ａ）、（Ｂ）を参照して、本実施の形態に従うアバターオブジェクトについて説明する。以下、ＨＭＤセット１１０Ａ，１１０Ｂの各ユーザ５のアバターオブジェクトを説明する図である。以下、ＨＭＤセット１１０Ａのユーザをユーザ５Ａ、ＨＭＤセット１１０Ｂのユーザをユーザ５Ｂ、ＨＭＤセット１１０Ｃのユーザをユーザ５Ｃ、ＨＭＤセット１１０Ｄのユーザをユーザ５Ｄと表す。ＨＭＤセット１１０Ａに関する各構成要素の参照符号にＡが付され、ＨＭＤセット１１０Ｂに関する各構成要素の参照符号にＢが付され、ＨＭＤセット１１０Ｃに関する各構成要素の参照符号にＣが付され、ＨＭＤセット１１０Ｄに関する各構成要素の参照符号にＤが付される。例えば、ＨＭＤ１２０Ａは、ＨＭＤセット１１０Ａに含まれる。
【０１１７】
図１２（Ａ）は、ネットワーク２において、各ＨＭＤ１２０がユーザ５に仮想空間１１を提供する状況を表す模式図である。コンピュータ２００Ａ〜２００Ｄは、ＨＭＤ１２０Ａ〜１２０Ｄを介して、ユーザ５Ａ〜５Ｄに、仮想空間１１Ａ〜１１Ｄをそれぞれ提供する。図１２（Ａ）に示される例において、仮想空間１１Ａおよび仮想空間１１Ｂは同じデータによって構成されている。換言すれば、コンピュータ２００Ａとコンピュータ２００Ｂとは同じ仮想空間を共有していることになる。仮想空間１１Ａおよび仮想空間１１Ｂには、ユーザ５Ａのアバターオブジェクト６Ａと、ユーザ５Ｂのアバターオブジェクト６Ｂとが存在する。仮想空間１１Ａにおけるアバターオブジェクト６Ａおよび仮想空間１１Ｂにおけるアバターオブジェクト６ＢがそれぞれＨＭＤ１２０を装着しているが、これは説明を分かりやすくするためのものであって、実際にはこれらのオブジェクトはＨＭＤ１２０を装着していない。
【０１１８】
ある局面において、プロセッサ２１０Ａは、ユーザ５Ａの視界画像１７Ａを撮影する仮想カメラ１４Ａを、アバターオブジェクト６Ａの目の位置に配置し得る。
【０１１９】
図１２（Ｂ）は、図１２（Ａ）におけるユーザ５Ａの視界画像１７Ａを示す図である。視界画像１７Ａは、ＨＭＤ１２０Ａのモニタ１３０Ａに表示される画像である。この視界画像１７Ａは、仮想カメラ１４Ａにより生成された画像である。視界画像１７Ａには、ユーザ５Ｂのアバターオブジェクト６Ｂが表示されている。特に図示はしていないが、ユーザ５Ｂの視界画像にも同様に、ユーザ５Ａのアバターオブジェクト６Ａが表示されている。
【０１２０】
図１２（Ｂ）の状態において、ユーザ５Ａは仮想空間１１Ａを介してユーザ５Ｂと対話による通信（コミュニケーション）を図ることができる。より具体的には、マイク１７０Ａにより取得されたユーザ５Ａの音声は、サーバ６００を介してユーザ５ＢのＨＭＤ１２０Ｂに送信され、ＨＭＤ１２０Ｂに設けられたスピーカ１８０Ｂから出力される。ユーザ５Ｂの音声は、サーバ６００を介してユーザ５ＡのＨＭＤ１２０Ａに送信され、ＨＭＤ１２０Ａに設けられたスピーカ１８０Ａから出力される。
【０１２１】
ユーザ５Ｂの動作（ＨＭＤ１２０Ｂの動作およびコントローラ３００Ｂの動作）は、プロセッサ２１０Ａにより仮想空間１１Ａに配置されるアバターオブジェクト６Ｂに反映される。これにより、ユーザ５Ａは、ユーザ５Ｂの動作を、アバターオブジェクト６Ｂを通じて認識できる。
【０１２２】
図１３は、本実施の形態に従うＨＭＤシステム１００において実行される処理の一部を表すシーケンスチャートである。図１３においては、ＨＭＤセット１１０Ｄを図示していないが、ＨＭＤセット１１０Ｄについても、ＨＭＤセット１１０Ａ、１１０Ｂ、１１０Ｃと同様に動作する。以下の説明でも、ＨＭＤセット１１０Ａに関する各構成要素の参照符号にＡが付され、ＨＭＤセット１１０Ｂに関する各構成要素の参照符号にＢが付され、ＨＭＤセット１１０Ｃに関する各構成要素の参照符号にＣが付され、ＨＭＤセット１１０Ｄに関する各構成要素の参照符号にＤが付されるものとする。
【０１２３】
ステップＳ１３１０Ａにおいて、ＨＭＤセット１１０Ａにおけるプロセッサ２１０Ａは、仮想空間１１Ａにおけるアバターオブジェクト６Ａの動作を決定するためのアバター情報を取得する。このアバター情報は、例えば、動き情報、フェイストラッキングデータ、および音声データ等のアバターに関する情報を含む。動き情報は、ＨＭＤ１２０Ａの位置および傾きの時間的変化を示す情報や、モーションセンサ４２０Ａ等により検出されたユーザ５Ａの手の動きを示す情報などを含む。フェイストラッキングデータは、ユーザ５Ａの顔の各パーツの位置および大きさを特定するデータが挙げられる。フェイストラッキングデータは、ユーザ５Ａの顔を構成する各器官の動きを示すデータや視線データが挙げられる。音声データは、ＨＭＤ１２０Ａのマイク１７０Ａによって取得されたユーザ５Ａの音声を示すデータが挙げられる。アバター情報には、アバターオブジェクト６Ａ、あるいはアバターオブジェクト６Ａに関連付けられるユーザ５Ａを特定する情報や、アバターオブジェクト６Ａが存在する仮想空間１１Ａを特定する情報等が含まれてもよい。アバターオブジェクト６Ａやユーザ５Ａを特定する情報としては、ユーザＩＤが挙げられる。アバターオブジェクト６Ａが存在する仮想空間１１Ａを特定する情報としては、ルームＩＤが挙げられる。プロセッサ２１０Ａは、上述のように取得されたアバター情報を、ネットワーク２を介してサーバ６００に送信する。
【０１２４】
ステップＳ１３１０Ｂにおいて、ＨＭＤセット１１０Ｂにおけるプロセッサ２１０Ｂは、ステップＳ１３１０Ａにおける処理と同様に、仮想空間１１Ｂにおけるアバターオブジェクト６Ｂの動作を決定するためのアバター情報を取得し、サーバ６００に送信する。同様に、ステップＳ１３１０Ｃにおいて、ＨＭＤセット１１０Ｃにおけるプロセッサ２１０Ｂは、仮想空間１１Ｃにおけるアバターオブジェクト６Ｃの動作を決定するためのアバター情報を取得し、サーバ６００に送信する。
【０１２５】
ステップＳ１３２０において、サーバ６００は、ＨＭＤセット１１０Ａ、ＨＭＤセット１１０Ｂ、およびＨＭＤセット１１０Ｃのそれぞれから受信したプレイヤ情報を一旦記憶する。サーバ６００は、各アバター情報に含まれるユーザＩＤおよびルームＩＤ等に基づいて、共通の仮想空間１１に関連付けられた全ユーザ（この例では、ユーザ５Ａ〜５Ｃ）のアバター情報を統合する。そして、サーバ６００は、予め定められたタイミングで、統合したアバター情報を当該仮想空間１１に関連付けられた全ユーザに送信する。これにより、同期処理が実行される。このような同期処理により、ＨＭＤセット１１０Ａ、ＨＭＤセット１１０Ｂ、およびＨＭＤセット１１０Ｃは、互いのアバター情報をほぼ同じタイミングで共有することができる。
【０１２６】
続いて、サーバ６００から各ＨＭＤセット１１０Ａ〜１１０Ｃに送信されたアバター情報に基づいて、各ＨＭＤセット１１０Ａ〜１１０Ｃは、ステップＳ１３３０Ａ〜Ｓ１３３０Ｃの処理を実行する。ステップＳ１３３０Ａの処理は、図１１におけるステップＳ１１８０の処理に相当する。
【０１２７】
ステップＳ１３３０Ａにおいて、ＨＭＤセット１１０Ａにおけるプロセッサ２１０Ａは、仮想空間１１Ａにおける他のユーザ５Ｂ，５Ｃのアバターオブジェクト６Ｂ、アバターオブジェクト６Ｃの情報を更新する。具体的には、プロセッサ２１０Ａは、ＨＭＤセット１１０Ｂから送信されたアバター情報に含まれる動き情報に基づいて、仮想空間１１におけるアバターオブジェクト６Ｂの位置および向き等を更新する。例えば、プロセッサ２１０Ａは、メモリモジュール５３０に格納されたオブジェクト情報に含まれるアバターオブジェクト６Ｂの情報（位置および向き等）を更新する。同様に、プロセッサ２１０Ａは、ＨＭＤセット１１０Ｃから送信されたアバター情報に含まれる動き情報に基づいて、仮想空間１１におけるアバターオブジェクト６Ｃの情報（位置および向き等）を更新する。
【０１２８】
ステップＳ１３３０Ｂにおいて、ＨＭＤセット１１０Ｂにおけるプロセッサ２１０Ｂは、ステップＳ１３３０Ａにおける処理と同様に、仮想空間１１Ｂにおけるユーザ５Ａ，５Ｃのアバターオブジェクト６Ａ，６Ｃの情報を更新する。同様に、ステップＳ１３３０Ｃにおいて、ＨＭＤセット１１０Ｃにおけるプロセッサ２１０Ｃは、仮想空間１１Ｃにおけるユーザ５Ａ，５Ｂのアバターオブジェクト６Ａ，６Ｂの情報を更新する。
【０１２９】
［モジュールの詳細構成］
図１４を参照して、コンピュータ２００のモジュール構成の詳細について説明する。図１４は、ある実施の形態に従うコンピュータ２００のモジュールの詳細構成を表わすブロック図である。
【０１３０】
図１４に示されるように、コントロールモジュール５１０は、仮想カメラ制御モジュール１４２１と、視界領域決定モジュール１４２２と、仮想空間定義モジュール１４２３と、仮想オブジェクト生成モジュール１４２４と、操作オブジェクト制御モジュール１４２５と、を備える。レンダリングモジュール５２０は、視界画像生成モジュール１４２９を備える。メモリモジュール５３０は、空間情報１４２６と、オブジェクト情報１４２７と、ユーザ情報１４２８と、を保持している。
【０１３１】
仮想カメラ制御モジュール１４２１は、仮想空間１１に仮想カメラ１４を配置する。仮想カメラ制御モジュール１４２１は、仮想空間１１における仮想カメラ１４の配置位置と、仮想カメラ１４の向き（傾き）を制御する。視界領域決定モジュール１４２２は、ＨＭＤ１２０を装着したユーザの頭の向きと、仮想カメラ１４の配置位置に応じて、視界領域１５を規定する。視界画像生成モジュール１４２９は、決定された視界領域１５に基づいて、モニタ１３０に表示される視界画像１７を生成する。
【０１３２】
仮想空間定義モジュール１４２３は、仮想空間１１を表わす仮想空間データを生成することにより、ＨＭＤシステム１００における仮想空間１１を規定する。
【０１３３】
仮想オブジェクト生成モジュール１４２４は、仮想空間１１に配置されるオブジェクトを生成する。オブジェクトは、例えば、ゲームのストーリーの進行に従って配置される森、山その他を含む風景、動物等を含み得る。
【０１３４】
操作オブジェクト制御モジュール１４２５は、仮想空間１１に配置された操作オブジェクトを制御する。ある局面において、操作オブジェクトは、例えば、ＨＭＤ１２０を装着したユーザの手により操作可能な後述する蛇オブジェクト１６７４、ポインタオブジェクト１６７５等を含み得る。
【０１３５】
コントロールモジュール５１０は、仮想空間１１に配置されるオブジェクトのそれぞれが、他のオブジェクトと衝突した場合に、当該衝突を検出する。コントロールモジュール５１０は、例えば、あるオブジェクトと、別のオブジェクトとが触れたタイミングを検出することができ、当該検出がされたときに、予め定められた処理を行なう。コントロールモジュール５１０は、オブジェクトとオブジェクトとが触れている状態から離れたタイミングを検出することができ、当該検出がされたときに、予め定められた処理を行なう。コントロールモジュール５１０は、オブジェクトとオブジェクトとが触れている状態であることを検出することができる。具体的には、操作オブジェクト制御モジュール１４２５は、操作オブジェクトと、他のオブジェクトとが触れたときに、これら操作オブジェクトと他のオブジェクトとが触れたことを検出して、予め定められた処理を行なう。
【０１３６】
メモリモジュール５３０は、コンピュータ２００が仮想空間１１をユーザ５に提供するために使用されるデータを保持している。ある局面において、メモリモジュール５３０は、空間情報１４２６と、オブジェクト情報１４２７と、ユーザ情報１４２８と、を保持している。
【０１３７】
空間情報１４２６は、仮想空間１１を提供するために規定された１つ以上のテンプレートを保持している。
【０１３８】
オブジェクト情報１４２７は、仮想空間１１において再生されるコンテンツ、当該コンテンツで使用されるオブジェクト、およびオブジェクトを仮想空間１１に配置するための情報（たとえば、位置情報）を保持している。当該コンテンツは、例えば、ゲーム、現実社会と同様の風景を表したコンテンツ等を含み得る。
【０１３９】
ユーザ情報１４２８は、ＨＭＤシステム１００の制御装置としてコンピュータ２００を機能させるためのプログラム、オブジェクト情報１４２７に保持される各コンテンツを使用するアプリケーションプログラム等を保持している。
【０１４０】
次に、図１５〜図２４を参照することで、本実施形態に係るゲームプログラムにおいて、ユーザが仮想空間内の所定の移動エリアへテレポート移動するための処理の流れを説明する。図１５は、ユーザが仮想空間内の所定移動エリアをポインティングすることにより当該所定移動エリアへテレポート移動するための処理の流れを示すシーケンス図である。図１６、図１９、図２１および図２３は、本実施形態に係るゲームプログラムを説明するためのユーザに提供される仮想空間の一例を示す図である。図１７（ａ）は、移動可能エリア内に配置されるテレポートオブジェクトの構成を示す図であり、図１７（ｂ）は、移動不可エリア内に配置されるテレポートオブジェクトの構成を示す図である。図１８、図２０、図２２、および図２４は、本実施形態に係るゲームプログラムを説明するためのＨＭＤのモニタに表示される視野画像の一例を示す図である。
【０１４１】
図１５に示されるように、ステップＳ１５４１にて、コンピュータ２００のプロセッサ２１０は、コントロールモジュール５１０として、本実施形態に係るゲームプログラムの仮想空間データを特定し、図１６に示す仮想空間１６１１を定義する。
【０１４２】
ステップＳ１５４２にて、プロセッサ２１０は、定義された仮想空間１６１１の所定位置に仮想カメラ１４（仮想視点の一例）を設定する。たとえば、図１６に示すように、プロセッサ２１０は、仮想空間１６１１の中心１２に仮想カメラ１４を配置する。
【０１４３】
ステップＳ１５４３にて、プロセッサ２１０は、図１６に示すように、仮想空間１６１１に複数の移動エリアを設定する。たとえば、図１６に示すように、プロセッサ２１０は、仮想カメラ１４（たとえば、中心１２）からの距離が閾値１６７１（第１閾値の一例）以下となるエリアを移動可能エリア１６７２と設定し、仮想カメラ１４からの距離が閾値１６７１を超えるエリアを移動不可エリア１６７３と設定する。
【０１４４】
ステップＳ１５４４にて、プロセッサ２１０は、仮想空間１６１１内に、オブジェクトを配置する。仮想空間１６１１内に配置されるオブジェクトは、たとえば、蛇オブジェクト１６７４と、蛇オブジェクト１６７４に関連付けられたポインタオブジェクト１６７５（操作オブジェクトの一例）と、複数のテレポートオブジェクト１６７６〜１６７８（第２オブジェクトの一例）と、複数の樹木オブジェクト１６７９，１６８０（第１オブジェクトの一例）とを含む。
【０１４５】
蛇オブジェクト１６７４は、初期状態において仮想カメラ１４の前方へと延びるように配置されている。ポインタオブジェクト１６７５は、蛇オブジェクト１６７４と関連付けられて配置されている。たとえば、ポインタオブジェクト１６７５は、初期状態において、蛇オブジェクト１６７４の先端から仮想カメラ１４とは反対側に一定距離だけ離れた位置に配置されている。ポインタオブジェクト１６７５は、ユーザ５によるコントローラ３００のたとえばアナログスティック３９０の操作に基づいて初期状態の位置から任意の位置へと移動可能である。すなわち、ユーザ５は、アナログスティック３９０によりポインタオブジェクト１６７５を移動させて仮想空間１６１１内の任意の位置を指定することができる。なお、ポインタオブジェクト１６７５は、実空間におけるレーザーポインタのように機能してもよい。すなわち、仮想カメラ１４から所定の方向へ向けて光を照射し、当該光が当たったオブジェクト（たとえば、テレポートオブジェクト１６７６〜１６７８）をポインティングできるようにしてもよい。
また、蛇オブジェクト１６７４は、ユーザ５がコントローラ３００のボタン３４０，３５０，３７０，３８０のいずれか（たとえばボタン３５０）を押下することに基づいて、ポインタオブジェクト１６７５によりポインティングされている位置に触れるように延伸した状態へと変化することができる。
【０１４６】
本例では、たとえば、複数のテレポートオブジェクト１６７６〜１６７８のうちテレポートオブジェクト１６７６，１６７７が移動可能エリア１６７２に配置され、テレポートオブジェクト１６７８が移動不可エリア１６７３に配置される。移動可能エリア１６７２に配置されたテレポートオブジェクト１６７６，１６７７は、ユーザ５による操作に基づいてポインタオブジェクト１６７５によりポインティングされた場合に、そのテレポートオブジェクトの位置へ仮想カメラ１４がテレポート移動可能となるテレポートポイント（すなわち、ワープポイント）として機能するオブジェクトである。
【０１４７】
なお、移動不可エリア１６７３内に配置されたテレポートオブジェクト１６７８は、テレポートポイントとして機能するオブジェクトではない。すなわち、テレポートオブジェクト１６７８が移動不可エリア１６７３内に配置されている限りにおいて、ポインタオブジェクト１６７５がテレポートオブジェクト１６７８をポインティングした場合であっても、仮想カメラ１４が当該テレポートオブジェクト１６７８の位置にテレポート移動することはない。
【０１４８】
樹木オブジェクト１６７９，１６８０は、仮想空間１６１１から生成される視界画像１８１７（図１８参照）の風景の一部を構成するオブジェクトである。本例においては、樹木オブジェクト１６７９が移動可能エリア１６７２内に配置され、樹木オブジェクト１６８０が移動不可エリア１６７３内に配置されている。
【０１４９】
ステップＳ１５４５にて、プロセッサ２１０は、他のオブジェクトとの衝突（コリジョン）を検出するためのコライダを、ポインタオブジェクト１６７５および移動可能エリア１６７２内に配置されたテレポートオブジェクト１６７６，１６７７のそれぞれに対して関連付けて設定する。たとえば、図１６に示されるように、プロセッサ２１０は、ポインタオブジェクト１６７５の周囲を囲むようにコライダ１６８１を設定する。また、プロセッサ２１０は、テレポートオブジェクト１６７６の周囲を囲むようにコライダ１６８２を設定し、テレポートオブジェクト１６７７の周囲を囲むようにコライダ１６８３を設定する。コライダ１６８１〜１６８３は、ポインタオブジェクト１６７５とテレポートオブジェクト１６７６，１６７７とのコリジョンを判定するためのコリジョン判定エリアとして機能する。尚、コライダ１６８１〜１６８３は、透明体として構成されており、視野画像内に表示されるものではない。
【０１５０】
コライダ１６８１〜１６８３を設定する際に、プロセッサ２１０は、移動可能エリア１６７２内において、仮想カメラ１４からの距離が閾値１６８４（第２閾値の一例）以下となるエリアを近傍移動可能エリア１６８５と設定し、仮想カメラ１４からの距離が閾値１６８４を超えるエリアを遠方移動可能エリア１６８６と設定する。そして、プロセッサ２１０は、遠方移動可能エリア１６８６内に配置されたテレポートオブジェクト１６７７のコライダ１６８３を、近傍移動可能エリア１６８５内に配置されたテレポートオブジェクト１６７６のコライダ１６８２よりも大きくなるように設定してもよい。このように、プロセッサ２１０は、仮想カメラ１４と移動可能エリア１６７２内のテレポートオブジェクト１６７６，１６７７の距離に応じて、コライダ１６８２，１６８３の大きさを変化させることができる。
【０１５１】
ステップＳ１５４６にて、プロセッサ２１０は、レンダリングモジュール５２０として、蛇オブジェクト１６７４、ポインタオブジェクト１６７５、テレポートオブジェクト１６７６〜１６７８、樹木オブジェクト１６７９，１６８０を含む仮想空間１６１１の視界画像を表示するための視界画像データを生成する。生成された視界画像データは、通信制御モジュール５４０によってＨＭＤ１２０に出力される。
【０１５２】
なお、ステップＳ１５４６で視界画像データを生成する際に、プロセッサ２１０は、仮想カメラ１４からの距離が閾値１６７１以下となる移動可能エリア１６７２については高ディテール態様（第１表示態様の一例）で描画し、仮想カメラ１４からの距離が閾値１６７１を超える移動不可エリア１６７３については移動可能エリア１６７２よりもディテールの低い低ディテール態様（第２表示態様の一例）で描画する。
【０１５３】
図１７（ａ）に高ディテール態様で描画されるテレポートオブジェクト（たとえば、移動可能エリア１６７２内に配置されるテレポートオブジェクト１６７６）を示し、図１７（ｂ）に低ディテール態様で描画されるテレポートオブジェクト（たとえば、移動不可エリア１６７３内に配置されるテレポートオブジェクト１６７８）を示す。
従来より、仮想カメラ１４の位置からの距離に応じてオブジェクトのディテール（詳細度）を切り替えることで、レンダリング処理負荷を削減しながら効率的にデータを表示できるＬＯＤ（Level of Detail）という技術が知られている。本実施形態では、このＬＯＤ技術を用いて、移動可能エリア１６７２内の各テレポートオブジェクト１６７６，１６７７のディテールよりも移動不可エリア１６７３内のテレポートオブジェクト１６７８のディテールを粗くしている。具体的には、テレポートオブジェクト１６７６，１６７７を構成するポリゴン数と、移動不可エリア１６７３内のテレポートオブジェクト１６７８を構成するポリゴン数とを異ならせている。すなわち、図１７（ｂ）に示すテレポートオブジェクト１６７８を、図１７（ａ）に示すテレポートオブジェクト１６７６よりも、少ないポリゴン数により構成している。たとえば、テレポートオブジェクト１６７６の描画に用いるポリゴン数を１００としたときに、テレポートオブジェクト１６７８の描画に用いるポリゴン数が１０以下（すなわち、テレポートオブジェクト１６７６のポリゴン数の１／１０以下）となるように構成している。これにより、移動可能エリア１６７２内のテレポートオブジェクト１６７６と移動不可エリア１６７３内のテレポートオブジェクト１６７８とで、見た目に大きな変化を持たせることができる。なお、ディテールを粗くする手法としては、オブジェクトの構成ポリゴン数を削減する方法に代えて、オブジェクトのテクスチャの容量を削減する方法を採用することもできる。
【０１５４】
なお、樹木オブジェクト１６７９，１６８０についてもＬＯＤ技術を用いて、仮想カメラ１４からの距離に応じてディテールを切り替えてもよい。たとえば、移動可能エリア１６７２内の樹木オブジェクト１６７９の描画に用いるポリゴン数を１００としたときに、移動不可エリア１６７３内の樹木オブジェクト１６８０の描画に用いるポリゴン数を５０程度（すなわち、樹木オブジェクト１６７９のポリゴン数の１／２程度）とする。このように、テレポートオブジェクト１６７６〜１６７８のディテールの低下度が、樹木オブジェクト１６７９，１６８０のディテールの低下度よりも大きくなるようにすることが好ましい。
【０１５５】
ステップＳ１５４７にて、ＨＭＤ１２０のモニタ１３０は、コンピュータ２００から受信した視界画像データに基づいて、図１８に示す視界画像１８１７を表示する。ＨＭＤ１２０を装着したユーザ５は、視界画像１８１７を視認すると、蛇オブジェクト１６７４、ポインタオブジェクト１６７５、テレポートオブジェクト１６７６〜１６７８、および樹木オブジェクト１６７９，１６８０を含む仮想空間１６１１を認識し得る。上述のように、テレポートオブジェクト１６７６〜１６７８のディテールの低下度が、樹木オブジェクト１６７９，１６８０のディテールの低下度よりも大きくなるようにしているため、樹木オブジェクト１６７９，１６８０との視覚的な比較により、移動可能エリア１６７２内のテレポートオブジェクト１６７６，１６７７と移動不可エリア１６７３内のテレポートオブジェクト１６７８との視覚的な区別がさらに明確となる。
【０１５６】
ステップＳ１５４８にて、コントローラ３００は、ユーザ５によるアナログスティック３９０の操作を検出し、その検出されたアナログスティック３９０の操作を表す検出データをコンピュータ２００に出力する。別の局面において、ユーザ５によるコントローラ３００の操作は、ユーザ５の周囲に配置されたカメラからの画像に基づいて検出されてもよい。
【０１５７】
ステップＳ１５４９にて、プロセッサ２１０は、コントローラ３００から取得した検出データに基づいて、ユーザ５によるアナログスティック３９０の操作を検出する。
【０１５８】
ステップＳ１５５０にて、プロセッサ２１０は、検出したコントローラ３００の操作に基づき、ポインタオブジェクト１６７５を制御する。たとえば、プロセッサ２１０は、アナログスティック３９０の操作を表す検出データに基づいて、図１９に示すようにポインタオブジェクト１６７５をテレポートオブジェクト１６７７と干渉する位置に移動させる。
【０１５９】
ステップＳ１５５１にて、プロセッサ２１０は、アナログスティック３９０の操作に基づいてポインタオブジェクト１６７５が移動した状態の視界画像データを生成し、当該視界画像データをＨＭＤ１２０に出力する。
【０１６０】
ステップＳ１５５２にて、ＨＭＤ１２０は、受信した視界画像データに基づいて視界画像を更新し、図２０に示すように更新後の視界画像２０１７をモニタ１３０に表示する。
【０１６１】
ステップＳ１５５３にて、コントローラ３００は、ユーザ５によるボタン３５０の操作を検出し、その検出されたボタン３５０の操作を表す検出データをコンピュータ２００に出力する。
【０１６２】
ステップＳ１５５４にて、プロセッサ２１０は、コントローラ３００から取得した検出データに基づいて、ユーザ５によるボタン３５０の操作を検出する。
【０１６３】
ステップＳ１５５５にて、プロセッサ２１０は、仮想カメラ１４とポインタオブジェクト１６７５がポインティングしている位置（ポインティング位置）との距離が閾値１６７１以下であるか否か、すなわち、ポインタオブジェクト１６７５によるポインティング位置が移動可能エリア１６７２内に含まれているか否かを判定する。尚、ポインティング位置とは、ポインタオブジェクト１６７５の位置座標に基づく現在位置としてもよい。また、ポインタオブジェクトがレーザーポインタのような機能を有する場合には、ポインティング位置は、仮想カメラ１４から照射される光が当たった位置であってもよい。
【０１６４】
仮想カメラ１４とポインティング位置との距離が第１閾値１６７１を超えている場合、すなわち、ポインティング位置が移動不可エリア１６７３内に含まれている場合には（ステップＳ１５５５のＮｏ）、プロセッサ２１０は、処理をステップＳ１５４９に戻す。この場合、仮想カメラ１４はポインティング位置に移動されることはない。
【０１６５】
一方、仮想カメラ１４とポインティング位置との距離が閾値１６７１以下となる場合、すなわち、ポインティング位置が移動可能エリア１６７２内に含まれている場合には（ステップＳ１５５５のＹｅｓ）、ステップＳ１５５６にて、プロセッサ２１０は、ポインタオブジェクト１６７５により指示されたポインティング位置が移動可能エリア１６７２内に配置されたテレポートオブジェクト１６７６およびテレポートオブジェクト１６７７のいずれかに干渉しているか否かを判定する。たとえば、プロセッサ２１０は、ポインタオブジェクト１６７５のコライダ１６８１が移動可能エリア１６７２内に配置されたテレポートオブジェクト１６７６のコライダ１６８２およびテレポートオブジェクト１６７７のコライダ１６８３のいずれかに干渉しているか否かを判定する。
【０１６６】
ポインタオブジェクト１６７５により指示されたポインティング位置が移動可能エリア１６７２内に配置されたテレポートオブジェクト１６７６，１６７７のいずれにも干渉していないと判定された場合には（ステップＳ１５５６のＮｏ）、プロセッサ２１０は、ステップＳ１５４９に戻す。
【０１６７】
一方、ポインタオブジェクト１６７５により指示されたポインティング位置が移動可能エリア１６７２内に配置されたテレポートオブジェクト１６７６，１６７７のいずれかに干渉していると判定された場合には（ステップＳ１５５６のＹｅｓ）、ステップＳ１５５７にて、プロセッサ２１０は、ポインタオブジェクト１６７５が指示しているテレポートオブジェクトに蛇オブジェクト１６７４を触れさせるように蛇オブジェクト１６７４を制御する。例えば、図２１に示すように、プロセッサ２１０は、蛇オブジェクト１６７４を、ポインタオブジェクト１６７５が指示しているテレポートオブジェクト１６７７に向けて延伸させ、テレポートオブジェクト１６７７にかみつかせる。
【０１６８】
ステップＳ１５５８にて、プロセッサ２１０は、ユーザ５によるボタン３５０の操作に基づいて蛇オブジェクト１６７４が延伸してテレポートオブジェクト１６７７にかみついた状態の視界画像データを生成し、当該視界画像データをＨＭＤ１２０に出力する。
【０１６９】
ステップＳ１５５９にて、ＨＭＤ１２０は、受信した視界画像データに基づいて視界画像を更新し、図２２に示すように更新後の視界画像２２１７をモニタ１３０に表示する。
【０１７０】
ステップＳ１５６０にて、プロセッサ２１０は、図２３に示すように、蛇オブジェクト１６７４がかみついたテレポートオブジェクト１６７７の位置に、仮想カメラ１４を移動させる。たとえば、プロセッサ２１０は、テレポートオブジェクト１６７７の中心位置に、仮想空間１６１１の中心１２を移動させる。
【０１７１】
ステップＳ１５６１にて、プロセッサ２１０は、仮想カメラ１４を移動させた後の仮想空間１６１１において、複数の移動エリアを再設定する。たとえば、図２３に示すように、プロセッサ２１０は、テレポートオブジェクト１６７７の位置に移動した後の仮想カメラ１４からの距離が閾値１６７１（第１閾値の一例）以下となるエリアを移動可能エリア１６７２と再設定し、仮想カメラ１４からの距離が閾値１６７１を超えるエリアを移動不可エリア１６７３と再設定する。
【０１７２】
ステップＳ１５６２にて、プロセッサ２１０は、仮想空間１６１１内に、オブジェクトを再配置する。たとえば、図２３に示すように、プロセッサ２１０は、仮想カメラ１４の位置にテレポートオブジェクト１６７７を配置し、その他のオブジェクト（テレポートオブジェクト１６７６，１６７８、樹木オブジェクト１６７９，１６８０）をテレポートオブジェクト１６７７との位置関係を維持した状態で仮想空間１６１１内に配置する。
【０１７３】
ステップＳ１５６３にて、プロセッサ２１０は、ポインタオブジェクト１６７５およびテレポートオブジェクト１６７６〜１６７８に対してコライダを関連付けて設定する。たとえば、図２３に示すように、プロセッサ２１０は、ポインタオブジェクト１６７５の周囲を囲むようにコライダ１６８１を再設定し、移動可能エリア１６７２内のテレポートオブジェクト１６７８の周囲を囲むようにコライダ１６８３を再設定する。尚、このとき、テレポートオブジェクト１６７８は近傍移動可能エリア１６８５内に配置されているため、コライダ１６８３は比較的小さい範囲（すなわち、テレポートオブジェクト１６７８の形状とほぼ同一の範囲）となるよう設定される。
【０１７４】
ステップＳ１５６４にて、プロセッサ２１０は、仮想カメラ１４がテレポートオブジェクト１６７７の位置に移動した状態の視界画像データを生成し、当該視界画像データをＨＭＤ１２０に出力する。仮想カメラ１４がテレポートオブジェクト１６７７の位置に移動した場合、テレポートオブジェクト１６７８は移動不可エリア１６７３内から移動可能エリア１６７２内へとその位置が移動しているため、プロセッサ２１０は、テレポートオブジェクト１６７８を高ディテール態様で描画する。
【０１７５】
ステップＳ１５６５にて、ＨＭＤ１２０は、受信した視界画像データに基づいて視界画像を更新し、図２４に示すように更新後の視界画像２４１７をモニタ１３０に表示する。
【０１７６】
以上説明したように、本実施形態に係るゲームプログラムによれば、仮想空間１６１１に複数の移動エリア１６７２，１６７３を設定するステップと、仮想空間１６１１に仮想カメラ１４（仮想視点の一例）を設定するステップと、ユーザ５の身体の一部の動きに応じて複数の移動エリア１６７２，１６７３のうちの所定移動エリア（たとえば、テレポートオブジェクト１６７７）を指示するステップと、仮想カメラ１４と所定移動エリアとの距離が閾値１６７１以下となる場合、仮想カメラ１４を所定移動エリア（たとえば、テレポートオブジェクト１６７７）に移動させるステップと、仮想カメラ１４と所定移動エリアとの距離が閾値１６７１を超える場合、仮想カメラ１４を所定移動エリアに移動させないステップと、をコンピュータに実行させるためのプログラムを提供する。このように、仮想カメラ１４とユーザ５により指示された所定移動エリアとの距離に応じて所定移動エリアへの移動可否を制御することで、ユーザ５に新規な仮想体験を提供することができ、これにより、ユーザ５の仮想体験を向上させることができる。
【０１７７】
また、本実施形態において、プロセッサ２１０は、仮想カメラ１４からの視界（視界領域１５）を制御し、複数の移動エリア１６７２，１６７３のうち、視界領域１５に含まれ、かつ仮想カメラ１４からの距離が閾値１６７１以下となる移動可能エリア１６７２については高ディテール態様（第１表示態様の一例）で描画し、複数の移動エリア１６７２，１６７３のうち、視界領域１５に含まれ、かつ仮想カメラ１４からの距離が閾値１６７１を超える移動不可エリア１６７３については、低ディテール態様（第２表示態様の一例）で描画し、視界領域１５に対応する視界画像１８１７を生成する。そして、視界画像１８１７は、高ディテール態様で描画された移動可能エリア１６７２と、低ディテール態様で描画された移動不可エリア１６７３とを含む。この構成によれば、視界画像１８１７に含まれる複数の移動エリア１６７２，１６７３のうちどこが移動可能エリアであるかをユーザ５が容易に把握することができる。
【０１７８】
また、本実施形態において、低ディテール態様で表示される移動不可エリア１６７３内のテレポートオブジェクト１６７８を構成するポリゴン数を、高ディテール態様で表示される移動可能エリア内１６７２内のテレポートオブジェクト１６７６，１６７７を構成するポリゴン数よりも少なくしている。これにより、コンピュータ２００の処理負荷を削減しつつ、視界画像１８１７内に表示されるテレポートオブジェクト（ワープポイント）１６７６〜１６７８のうち移動可能なテレポートオブジェクト１６７６，１６７７と移動不可能なテレポートオブジェクト１６７８とをユーザ５に容易に識別させることができる。
【０１７９】
また、本実施形態において、プロセッサ２１０は、樹木オブジェクト１６７９，１６８０（第１オブジェクトの一例）に関して、仮想カメラ１４との距離が閾値１６７１以下である樹木オブジェクト１６７９についてはその表示態様を高ディテール態様に設定する一方で、仮想カメラ１４との距離が第１閾値１６７１を超える樹木オブジェクト１６８０についてはその表示態様を高ディテール態様よりもディテールの粗い表示態様（第３表示態様の一例）に設定する。そして、プロセッサ２１０は、移動可能エリア１６７２内のテレポートオブジェクト１６７６，１６７７に対する移動不可エリア１６７３内のテレポートオブジェクト１６７８のディテールの低下度合い（構成ポリゴン数の削減度合い）が、移動可能エリア１６７２内の樹木オブジェクト１６７９に対する移動不可エリア１６７３内の樹木オブジェクト１６８０のディテールの低下度合いよりも、大きくなるように設定する。すなわち、プロセッサ２１０は、テレポートオブジェクト１６７６，１６７７に対するテレポートオブジェクト１６７８の構成ポリゴン数の削減度合いが、樹木オブジェクト１６７９に対する樹木オブジェクト１６８０の構成ポリゴン数の削減度合いよりも、大きくなるように設定する。この構成によれば、移動可能エリア１６７２内のテレポートオブジェクト１６７６，１６７７と移動不可エリア１６７３内のテレポートオブジェクト１６７８との視覚的な区別がより明確となり、ユーザ５の仮想体験をさらに向上させることができる。
【０１８０】
また、本実施形態において、ユーザ５の頭部には、コンピュータ２００を備えるＨＭＤ１２０（画像表示装置の一例）が関連付けられており、プロセッサ２１０は、ユーザ５の頭部の動きに応じて、仮想カメラ１４からの視界を制御し、視界に対応する視界画像１８１７を生成し、視界画像１８１７をＨＭＤ１２０に表示させる。このとき、視界画像１８１７は、移動可能エリア１６７２を高ディテール態様で表示し、移動不可エリア１６７３を低ディテール態様で表示する。この構成によれば、ＨＭＤ１２０が備えるコンピュータ２００のような処理能力に制限のあるコンピュータにおいても、処理負荷を増加させることなく、ユーザ５の仮想体験を向上させることができる。
【０１８１】
また、本実施形態において、プロセッサ２１０は、仮想空間１６１１内にポインタオブジェクト１６７５（ポインティング位置の一例）を設定し、仮想カメラ１４とポインタオブジェクト１６７５との距離に応じて、ポインタオブジェクト１６７５とポインタオブジェクト１６７５でポインティングされた所定移動エリアとのコリジョンを判定するためのコリジョン判定条件を変化させる。このように、仮想カメラ１４からポインタオブジェクト１６７５までの距離に応じてコリジョン判定条件を変化させることで、ユーザ５に新規な仮想体験を提供することができる。
【０１８２】
また、本実施形態において、コリジョン判定条件は、仮想カメラ１４とポインタオブジェクト１６７５との距離が閾値１６８４（第２閾値の一例）を超えた場合に、仮想カメラ１４とポインタオブジェクト１６７５との距離が閾値１６７１以下である場合よりも、緩和される。このように、仮想カメラ１４から離れたエリアをポインティングする際のコリジョン判定条件を緩和させることで、ユーザ５が移動可能エリア１６７２内の遠方移動可能エリア１６８６を容易に指示することができる。
【０１８３】
なお、コリジョン判定条件を緩和させる方法は上記の例に限られない。たとえば、プロセッサは、仮想カメラ１４とポインタオブジェクト１６７５との距離が長くなるほど、コリジョン判定条件が緩和されるように設定してもよい。
【０１８４】
また、本実施形態において、プロセッサ２１０は、テレポートオブジェクト１６７６，１６７７に関連付けてコリジョンを判定するためのコライダ１６８２，１６８３（コリジョン判定エリアの一例）を設定し、コリジョン判定条件の緩和は、仮想カメラ１４とテレポートオブジェクト１６７６，１６７７との距離に応じて、コライダ１６８２，１６８３の大きさを変化させることを含んでもよい。このような方法を採用することで、コリジョン判定条件を容易に緩和させることができる。
【０１８５】
なお、上記の例では、仮想カメラ１４からの距離に応じてテレポートオブジェクト１６７６，１６７７に設定されたコライダ１６８２，１６８３の大きさを変化させているが、この例に限られない。たとえば、プロセッサ２１０は、ポインタオブジェクト１６７５に関連付けて設定されたコライダ１６８１の大きさを、仮想カメラ１４とポインタオブジェクト１６７５で指示された箇所との距離に応じて変化させるようにしてもよい。このような方法を採用することでも、コリジョン判定条件を容易に緩和させることができる。
【０１８６】
また、本実施形態において、プロセッサ２１０は、ユーザ５による課金が実行されたことに基づいて、コリジョン判定条件を緩和するようにしてもよい。すなわち、プロセッサ２１０は、ユーザ５による課金が実行された場合には、コライダ１６８１〜１６８３の大きさを通常よりも大きくするようにしてもよい。これにより、課金を効果的にユーザに促すことができる。
【０１８７】
［他のＨＭＤの構成］
上記の例では、ＨＭＤシステム１００は、ＨＭＤ１２０と、コンピュータ２００とを備え、各種の演算処理をコンピュータ２００のプロセッサ２１０が実行するように構成されている。以下にＨＭＤシステムの他の構成例を説明する。
【０１８８】
図２５は、ＨＭＤシステム２５３１の構成を表す。ＨＭＤシステム２５３１は、ＨＭＤ２５３２と、携帯型の情報処理端末２５４１とを有する。ＨＭＤ２５３２は、筐体にスマートフォンを装着可能な形式の所謂モバイル型のＨＭＤである。以下で説明するＨＭＤ２５３２は、上述のＨＭＤセンサ４１０を備えており、当該ＨＭＤセンサ４１０を用いてＨＭＤ２５３２の向きを検出可能である。
【０１８９】
ＨＭＤ２５３２は、筐体２５３３と、ベルト２５３４と、調節部材３１３と、前カバー２５３６と、突起２５３８とを有する。ユーザ５は、ベルト２５３４を自身の頭部に引っかけた後に、調節部材３１３でベルト２５３４の長さを調節することにより、ＨＭＤ２５３２を自身の頭部に固定する。
【０１９０】
前カバー２５３６は、筐体２５３３の前方下部に取り付けられており、取り付け箇所を軸として回動可能に構成される。前カバー２５３６にはフック２５３７が設けられている。ユーザ５は、前カバー２５３６に情報処理端末２５４１を載せた状態で、前カバー２５３６を閉じる。ユーザ５はさらに、前カバー２５３６が閉じられた状態でフック２５３７を突起２５３８に引っかけることにより、情報処理端末２５４１をＨＭＤ２５３２に固定する。
【０１９１】
筐体２５３３はさらに、レンズ２５３９を有する。レンズ２５３９は、左目用のレンズと右目用のレンズとを含む。筐体２５３３のレンズ２５３９から前方部分は開口されている。ユーザ５は、ＨＭＤ２５３２を頭部に装着した状態において、レンズ２５３９を介して情報処理端末２５４１のモニタ２５４２を視認する。なお、ＨＭＤ２５３２はさらに、レンズ２５３９の位置を調節するための調節機構を有していてもよい。
【０１９２】
情報処理端末２５４１はさらに、上述のプロセッサ２１０，メモリ２２０，ストレージ２３０，通信インターフェイス２５０，スピーカ１８０，マイク１７０の各々に相当する構成要素を含む（図示しない）。ＨＭＤシステム２５３１において、上述の各種処理（視界画像を生成する処理など）は、情報処理端末２５４１に設けられたプロセッサ２１０が各種の構成要素と連携することにより実現される。
【０１９３】
［他のコントローラの構成］
図２６は、他のコントローラ２６５１の構成を表す。ユーザ５は、コントローラ２６５１を手に把持した状態で使用する。ユーザ５は、コントローラ２６５１を片手または両手で把持する。
【０１９４】
コントローラ２６５１は、タッチパッド２６５２と、アプリボタン２６６１と、ホームボタン２６６２と、音量ボタン２６６３と、モーションセンサ２６６４と、通信インターフェイス２６６５とを有する。
【０１９５】
タッチパッド２６５２は、複数のタッチセンサにより構成される。タッチパッド２６５２は、コントローラ２６５１の長手方向に分割される領域２６５３〜２６５５のいずれの領域をユーザ５によって触られているかを判別可能に構成される。たとえば、ユーザ５は、領域２６５４から領域２６５３に指をスライドさせることで、仮想空間１６１１に配置されるオブジェクト（たとえば、ポインタオブジェクト１６７５）を前方に移動させ得る。但し、タッチパッド２６５２は、単一のタッチセンサにより構成されてもよい。
【０１９６】
アプリボタン２６６１は、ゲームなどのアプリケーションにおいて使用されるボタンである。たとえば、プロセッサ２１０は、アプリボタン２６６１が押下されたことを検知すると、メニュー画面をＨＭＤ１２０のモニタ１３０に表示する。ホームボタン２６６２は、予め定められた画面（たとえば、アプリボタン２６６１を使用するアプリケーションとは異なるアプリケーションの画面）をモニタ１３０に表示するためのボタンである。音量ボタン２６６３は、スピーカ１８０の音量を調整するためのボタンである。
【０１９７】
コントローラ２６５１に設けられたモーションセンサ２６６４は、３軸の加速度センサと、３軸の角速度センサとを有する。また、上述の通り、コントローラ２６５１は、ユーザ５の手によって把持される。そのため、コンピュータ２００（情報処理端末２５４１）は、モーションセンサ２６６４の出力に基づいて、ユーザ５の手の傾きを検出できる。
【０１９８】
通信インターフェイス２６６５は、ユーザ５のコントローラ２６５１に対する操作内容を表す信号をコンピュータ２００（情報処理端末２５４１）に送信する。たとえば、通信インターフェイス２６６５はＢｌｕｅｔｏｏｔｈ（登録商標）その他の近距離無線通信規格に従い、対向デバイスと通信する。
【０１９９】
上記実施形態においては、ＨＭＤ１２０によってユーザが没入する仮想空間（ＶＲ空間）を例示して説明したが、ＨＭＤとして、透過型のＨＭＤを採用してもよい。この場合、透過型のＨＭＤを介してユーザが視認する現実空間に仮想空間を構成する画像の一部を合成した視界画像を出力することにより、拡張現実（ＡＲ：Augumented  Reality）空間または複合現実（ＭＲ：Mixed  Reality）空間における仮想体験をユーザに提供してもよい。この場合、操作オブジェクトに代えて、ユーザの手の動きに基づいて、仮想空間内における対象オブジェクトへの作用を生じさせてもよい。具体的には、プロセッサは、現実空間におけるユーザの手の位置の座標情報を特定するとともに、仮想空間内における対象オブジェクトの位置を現実空間における座標情報との関係で定義してもよい。これにより、プロセッサは、現実空間におけるユーザの手と仮想空間における対象オブジェクトとの位置関係を把握し、ユーザの手と対象オブジェクトとの間で上述したコリジョン制御等に対応する処理を実行可能となる。その結果、ユーザの手の動きに基づいて対象オブジェクトに作用を与えることが可能となる。
【０２００】
以上、本開示の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【０２０１】
［付記事項］
本開示の内容を列記すると以下の通りである。
【０２０２】
（項目１）
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
をコンピュータに実行させるためのプログラム。
この構成によれば、ユーザの仮想体験を向上させることができる。特に、仮想視点とユーザにより指示された所定移動エリアとの距離に応じて、所定移動エリアへの移動可否を制御することで、ユーザに新規な仮想体験を提供することができる。
【０２０３】
（項目２）
前記仮想視点からの視界を制御するステップと、
前記複数の移動エリアのうち、前記視界に含まれ、かつ前記仮想視点からの距離が前記第１閾値以下となる１以上の移動可能エリアについては、第１表示態様で描画するステップと、
前記複数の移動エリアのうち、前記視界に含まれ、かつ前記仮想視点からの距離が前記第１閾値を超える１以上の移動不可エリアについては、前記第１表示態様とは異なる第２表示態様で描画するステップと、
前記視界に対応する視界画像を生成するステップと、
をさらに前記コンピュータに実行させ、
前記視界画像は、前記第１表示態様で描画された前記１以上の移動可能エリアと、前記第２表示態様で描画された前記１以上の移動不可エリアと、を含む、項目１に記載のプログラム。
この構成によれば、視界画像に含まれる複数の移動エリアのうちどこが移動可能エリアであるかをユーザが容易に把握することができる。
【０２０４】
（項目３）
前記第２表示態様で表示される前記１以上の移動不可エリアは、前記第１表示態様で表示される前記１以上の移動可能エリアよりも、ディテールが粗い、項目２に記載のプログラム。
この構成によれば、コンピュータの処理負荷を削減しつつ、移動可能エリアと移動不可エリアとを視覚的に区別させるための処理を行うことができる。
【０２０５】
（項目４）
前記仮想空間に第１オブジェクトを設定するステップと、
前記第１オブジェクトと前記仮想視点との距離が前記第１閾値以下であることに応じて、前記第１オブジェクトの表示態様を前記第１表示態様に設定するステップと、
前記第１オブジェクトと前記仮想視点との距離が前記第１閾値を超えることに応じて、前記第１オブジェクトの表示態様を第３表示態様に設定するステップと、
をさらに前記コンピュータに実行させ、
前記第３表示態様で表示される前記第１オブジェクトは、前記第１表示態様で表示される前記第１オブジェクトよりも画像のディテールが粗く、
前記第１表示態様に対する前記第２表示態様の前記ディテールの低下度合いが、前記第１表示態様に対する前記第３表示態様の前記ディテールの低下度合いよりも、大きい、項目３に記載のプログラム。
この構成によれば、仮想視点から第１オブジェクトまでの距離が第１閾値を超えている場合に、第１オブジェクトのディテールよりも移動不可エリアのディテールを粗くすることで、移動可能エリアと移動不可エリアとの視覚的な区別がより明確となり、ユーザの仮想体験をさらに向上させることができる。
【０２０６】
（項目５）
前記ユーザの頭部には、前記コンピュータを備える画像表示装置が関連付けられており、
前記頭部の動きに応じて、前記仮想視点からの視界を制御するステップと、
前記視界に対応する視界画像を生成するステップと、
前記視界画像を前記画像表示装置に表示させるステップと、
をさらに前記コンピュータに実行させ、
前記視界画像は、前記１以上の移動可能エリアを前記第１表示態様で表示し、前記１以上の移動不可エリアを前記第２表示態様で表示する、項目２から項目４のいずれかに記載のプログラム。
この構成によれば、ユーザの頭部に装着される画像表示装置が備えるコンピュータのような処理能力に制限のあるコンピュータにおいても、処理負荷を増加させることなく、ユーザの仮想体験を向上させることができる。
【０２０７】
（項目６）
前記身体の一部の動きに応じて前記所定移動エリアを指示するためのポインティング位置を設定するステップをさらに前記コンピュータに実行させ、
前記仮想視点と前記ポインティング位置との距離に応じて、前記ポインティング位置と前記所定移動エリアとのコリジョンを判定するためのコリジョン判定条件を変化させる、項目１から項目５のいずれかに記載のプログラム。
この構成によれば、仮想視点からポインティング位置までの距離に応じてコリジョン判定条件を変化させることで、ユーザに新規な仮想体験を提供することができる。
【０２０８】
（項目７）
前記コリジョン判定条件は、前記仮想視点と前記ポインティング位置との距離が第２閾値を超えた場合に、前記距離が前記第２閾値以下の場合よりも、緩和される、項目６に記載のプログラム。
【０２０９】
（項目８）
前記コリジョン判定条件は、前記仮想視点と前記ポインティング位置との距離が長くなるほど、緩和される、項目６または項目７に記載のプログラム。
これらの構成によれば、仮想視点から離れたエリアをポインティングする際のコリジョン判定条件を緩和させることで、ユーザが遠い場所の移動可能エリアを容易に指示することができる。
【０２１０】
（項目９）
前記ポインティング位置に関連付けて前記コリジョンを判定するためのコリジョン判定エリアを設定するステップをさらに前記コンピュータに実行させ、
前記コリジョン判定条件の緩和は、前記仮想視点と前記ポインティング位置との距離に応じて、前記コリジョン判定エリアの大きさを変化させることを含む、項目６から項目８のいずれかに記載のプログラム。
コリジョン判定エリアの大きさを変化させることで、コリジョン判定条件を容易に緩和させることができる。
【０２１１】
（項目１０）
前記仮想空間に、前記ユーザの身体の一部の動きに応じて操作可能な操作オブジェクトを設定するステップと、
前記コリジョン判定エリアを前記操作オブジェクトに関連付けて設定するステップと、
をさらに前記コンピュータに実行させ、
前記コリジョン判定条件の緩和は、前記仮想視点と、前記操作オブジェクトで指示された前記複数の移動エリア内の所定箇所との距離に応じて、前記コリジョン判定エリアの大きさを変化させることを含む、項目９に記載のプログラム。
【０２１２】
（項目１１）
前記１以上の移動可能エリア内に、前記身体の一部の動きに応じて前記所定移動エリアを指示するための第２オブジェクトを設定するステップと、
前記コリジョン判定エリアを前記第２オブジェクトに関連付けて設定するステップと、
をさらに前記コンピュータに実行させ、
前記コリジョン判定条件の緩和は、前記仮想視点と前記第２オブジェクトとの距離に応じて、前記コリジョン判定エリアの大きさを変化させることを含む、項目９に記載のプログラム。
コリジョン判定条件を容易に緩和させるため、コリジョン判定エリアは操作オブジェクトまたは第２オブジェクトに関連付けられていることが好ましい。
【０２１３】
（項目１２）
前記ユーザによる課金が実行されたことに基づいて、前記コリジョン判定条件が緩和される、項目６から項目１１のいずれか一項に記載のプログラム。
この構成によれば、課金を効果的にユーザに促すことができる。
【０２１４】
（項目１３）
プロセッサを備えた情報処理装置であって、
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
が前記プロセッサの制御により実行される、情報処理装置。
この構成によれば、ユーザの仮想体験を向上させることができる。
【０２１５】
（項目１４）
コンピュータによって実行される情報処理方法であって、
ユーザに仮想体験を提供するための仮想空間を設定するステップと、
前記仮想空間に複数の移動エリアを設定するステップと、
前記仮想空間に仮想視点を設定するステップと、
前記ユーザの身体の一部の動きに応じて、前記複数の移動エリアのうちの所定移動エリアを指示するステップと、
前記仮想視点と前記所定移動エリアとの距離が第１閾値以下となる場合、前記仮想視点を前記所定移動エリアに移動させるステップと、
前記仮想視点と前記所定移動エリアとの距離が前記第１閾値を超える場合、前記仮想視点を前記所定移動エリアに移動させないステップと、
を含む、情報処理方法。
この方法によれば、ユーザの仮想体験を向上させることができる。
【符号の説明】
【０２１６】
２：ネットワーク
１１：仮想空間
１３：パノラマ画像
１４：仮想カメラ
１５：視界領域
１７：視界画像
１００：ＨＭＤシステム
１１０：ＨＭＤセット
１２０：ＨＭＤ
１３０：モニタ
１４０：注視センサ
１５０：第１カメラ
１６０：第２カメラ
１７０：マイク
１８０：スピーカ
２００：コンピュータ
２１０：プロセッサ
２２０：メモリ
２３０：ストレージ
２４０：入出力インターフェイス
２５０：通信インターフェイス
３００：コントローラ
３１０：グリップ
３２０：フレーム
３３０：天面
３４０、３５０、３７０、３８０：ボタン
３６０：赤外線ＬＥＤ
３９０：アナログスティック
４１０：ＨＭＤセンサ
４２０：モーションセンサ
４３０：ディスプレイ
５１０：コントロールモジュール
５２０：レンダリングモジュール
５３０：メモリモジュール
５４０：通信制御モジュール
６００：サーバ
７００：外部機器
１４２１：仮想カメラ制御モジュール
１４２２：視界領域決定モジュール
１４２３：仮想空間定義モジュール
１４２４：仮想オブジェクト生成モジュール
１４２５：操作オブジェクト制御モジュール
１４２６：空間情報
１４２７：オブジェクト情報
１４２８：ユーザ情報
１４２９：視界画像生成モジュール
１６１１：仮想空間
１６７１：閾値（第１閾値の一例）
１６７２：移動可能エリア
１６７３：移動不可エリア
１６７４：蛇オブジェクト
１６７５：ポインタオブジェクト
１６７６〜１６７８：テレポートオブジェクト（第２オブジェクトの一例）
１６７９，１６８０：樹木オブジェクト（第１オブジェクトの一例）
１６８１〜１６８３：コライダ
１６８４：閾値（第２閾値の一例）
１６８５：近傍移動可能エリア
１６８６：遠方移動可能エリア
【図１】
2019155115.tif 000003
【図２】
2019155115.tif 000004
【図３】
2019155115.tif 000005
【図４】
2019155115.tif 000006
【図５】
2019155115.tif 000007
【図６】
2019155115.tif 000008
【図７】
2019155115.tif 000009
【図８（Ａ）】
2019155115.tif 000010
【図８（Ｂ）】
2019155115.tif 000011
【図９】
2019155115.tif 000012
【図１０】
2019155115.tif 000013
【図１１】
2019155115.tif 000014
【図１２（Ａ）】
2019155115.tif 000015
【図１２（Ｂ）】
2019155115.tif 000016
【図１３】
2019155115.tif 000017
【図１４】
2019155115.tif 000018
【図１５】
2019155115.tif 000019
【図１６】
2019155115.tif 000020
【図１７】
2019155115.tif 000021
【図１８】
2019155115.tif 000022
【図１９】
2019155115.tif 000023
【図２０】
2019155115.tif 000024
【図２１】
2019155115.tif 000025
【図２２】
2019155115.tif 000026
【図２３】
2019155115.tif 000027
【図２４】
2019155115.tif 000028
【図２５】
2019155115.tif 000029
【図２６】
2019155115.tif 000030